(57)【要約】【課題】複数のコンタクト及び機器への固定用のナットを容易にハウジングに組立可能とする。【解決手段】ハウジング１は、コンタクト３が挿入される挿入室１２２及び、ナット４が挿入されると共にナット４の回転が抑止される切り欠き溝１４が設けられる。コンタクト３は、リード線を圧着により接続する圧着部を有し、このリード線がハウジング１から延出されるように挿入室１２２に挿入される。ナット４は、機器と締結可能に切り欠き溝１４の底部に保持される。切り欠き溝１４は、隣接する挿入室１２２に連通しており、コンタクト３はナット４に当接する折り曲げ片３ｈを有する。コンタクト３は、挿入室１２２に挿入されて、折り曲げ片３ｈがナット４をハウジング１の所定の位置に止める。【選択図】        図３
2006080011.tif 000002
【特許請求の範囲】
【請求項１】
絶縁性のハウジングと、このハウジングに組み込まれる複数の導電性のコンタクトと、このハウジングに保持される１以上のナットと、を備えており、
前記ハウジングは、相手側電気コネクタの挿入方向に向って前記複数のコンタクトが挿入されるコンタクト挿入室及び、当該複数のコンタクトが挿入される方向に向って平行に前記ナットが挿入されると共に当該ナットの回転が抑止される切り欠き溝が設けられ、
前記複数のコンタクトは、リード線を圧着により接続する圧着部を有し、このリード線が前記ハウジングから延出されるように前記コンタクト挿入室に挿入され、
前記ナットは、当該ナットが挿入される方向と直交する方向から締結可能に前記切り欠き溝の底部に保持され、
この切り欠き溝は、隣接する前記コンタクト挿入室に連通しており、
前記複数のコンタクトの内、前記切り欠き溝に隣接するコンタクト挿入室に挿入されるコンタクトは前記切り欠き溝の底部に保持されたナットに当接する係止手段を有し、
前記係止手段は、前記ナットを前記ハウジングの所定の位置に止めることを特徴とする電気コネクタ。
【請求項２】
請求項１記載の電気コネクタにおいて、
前記コンタクトは、この電気コネクタに接続される相手側電気コネクタのコンタクトと接触するコンタクト本体を含み、
前記ナットに当接する係止手段は、前記切り欠き溝に隣接するコンタクト挿入室に挿入されるコンタクトの前記コンタクト本体に設けられた折り曲げ片であって、当該折り曲げ片が前記ナットの側面に当接することを特徴とする電気コネクタ。
【請求項３】
相手側電気コネクタが挿入されるためのコネクタ挿入口が一方の面に開口し、このコネクタ挿入口を開口とする第１及び第２のコンタクト挿入室が設けられ、前記コネクタ挿入口と対向する他方の面に設けられる第１及び第２のコンタクト挿入開口が前記第１及び第２のコンタクト挿入室に連通している略直方体形状の絶縁性のハウジングと、
リード線を圧着により接続する第１及び第２の圧着部を有し、このリード線が前記第１及び第２の圧着部に圧着された状態で前記第１及び第２のコンタクト挿入開口から前記第１及び第２のコンタクト挿入室に挿入され、このリード線が前記他方の面から延出されるように前記ハウジングに組み込まれる導電性の第１及び第２コンタクトと、
機器に固定されるためのナットであって、前記他方の面から前記一方の面に向けて形成される切り欠き溝に挿入され、回転が抑制されるようにこの切り欠き溝に挟持されるナットと、を備えており、
前記ナットは、当該ナットが挿入される方向と直交する方向から締結可能に前記切り欠き溝の底部に保持され、
前記切り欠き溝は、隣接する前記第２のコンタクト挿入室に連通し、
前記第１及び第２コンタクトの内、前記切り欠き溝に隣接する第２のコンタクト挿入室に挿入される第２コンタクトは、前記リード線と第２の圧着部において圧着により接続された弾性可動接触子を有する断面形状がＪ字型となるＪ字型コンタクトを含み、
前記Ｊ字型コンタクトのコンタクト本体は、Ｊ字型の主縦断面を構成する矩形の背面板及び、この矩形の背面板の両翼からＬ字状に前記弾性可動接触子の形成方向に延びる対向する一対のガイド板を有し、
前記Ｊ字型コンタクトにおける一方のガイド板は、前記切り欠き溝の底部に保持されたナットに当接する係止手段を有し、
前記第２のコンタクト挿入開口は、前記Ｊ字型コンタクトを当該第２のコンタクト挿入室に挿入するように開口し、
当該Ｊ字型コンタクトのコンタクト本体は、前記切り欠き溝に隣接する第２のコンタクト挿入室に挿入され、
前記一方のガイド板の係止手段は、前記ナットを前記ハウジングの所定の位置に止めることを特徴とする電気コネクタ。
【請求項４】
請求項３記載の電気コネクタにおいて、
前記第２コンタクトは、この電気コネクタに接続される相手側電気コネクタのコンタクトと接触する第２コンタクト本体を含み、
前記ナットに当接する係止手段は、前記切り欠き溝に隣接する第２のコンタクト挿入室に挿入される第２コンタクトの第２コンタクト本体における一方のガイド板に設けられた折り曲げ片であって、当該折り曲げ片が前記ナットの側面に当接することを特徴とする電気コネクタ。
【請求項５】
請求項３又は４記載の電気コネクタにおいて、
一片と他片で略Ｌ字形状に構成され、この一片は前記ナットが保持される切り欠き溝を閉塞し、この他片は前記ハウジングの他方の面を閉塞するカバーを備えることを特徴とする電気コネクタ。
【請求項６】
絶縁性のハウジングと、このハウジングに組み込まれる複数の導電性の第３コンタクトと、このハウジングに保持される一対のナットと、を備えており、
前記ハウジングは、相手側電気コネクタの挿入方向に向って前記第３コンタクトが挿入されると共に並設される複数の第３のコンタクト挿入室及び、当該第３コンタクトが挿入される方向と平行に前記ナットが挿入されると共に当該ナットの回転が抑止される一対の切り欠き溝が両端部に設けられ、
前記複数の第３コンタクトは、リード線を圧着により接続する第３の圧着部を有し、このリード線が前記ハウジングから延出されるように前記複数の第３のコンタクト挿入室に挿入され、
前記一対のナットは、当該一対のナットが挿入される方向と直交する方向から締結可能に前記一対の切り欠き溝の底部に保持され、
この一対の切り欠き溝は、隣接する前記第３のコンタクト挿入室に連通しており、
前記複数の第３コンタクトの内、前記切り欠き溝に隣接する第３のコンタクト挿入室に挿入される第３コンタクトは前記切り欠き溝の底部に保持されたナットに当接する係止手段を有し、
前記係止手段は、前記ナットを前記ハウジングの所定の位置に止めることを特徴とする電気コネクタ。
【請求項７】
請求項６記載の電気コネクタにおいて、
前記第３コンタクトは、この電気コネクタに接続される相手側電気コネクタのコンタクトと接触するコンタクト本体を含み、
前記コンタクト本体は前記リード線と前記第３の圧着部において圧着により接続された中空であって柱形状をしている中空柱形状のコンタクト本体を含み、
前記ナットに当接する係止手段は、前記切り欠き溝に隣接する第３のコンタクト挿入室に挿入される第３コンタクトにおける中空柱形状のコンタクト本体に設けられた折り曲げ片であって、当該折り曲げ片が前記ナットの側面に当接することを特徴とする電気コネクタ。
【発明の詳細な説明】
【技術分野】
【０００１】
本発明は、電気コネクタに関する。特に、この電気コネクタに用いられるハウジングやコンタクトなどの構造に関する。本発明の電気コネクタは、電源ジャックやアンテナジャックなどのジャック及び多極の電気コネクタが含まれる。
【背景技術】
【０００２】
例えば、ある種の電源ジャックは、絶縁性のハウジングと、このハウジングに組み込まれた導電性の一組のコンタクトを備えており、この一組のコンタクトは、この電源ジャックが取り付けられる機器内部の電源回路に接続される専用のリード線を圧着により接続する圧着部を備えている。これらの一組のコンタクトは、一方が正極であり、他方がアースの関係でハウジングに配置されている。
【０００３】
又、ある種の多極の電気コネクタは、絶縁性のハウジングと、このハウジングに組み込まれた導電性の複数のコンタクトを備えており、この複数のコンタクトは、この多極の電気コネクタが取り付けられる機器内部の回路に接続される専用のリード線を圧着により接続する圧着部を備えている。これらの複数のコンタクトは、少なくとも一つ以上のアース用のコンタクトを有している。
【０００４】
このような、電気コネクタにナットを設けておくと、この電気コネクタを機器（多くはパネル）に取り付けるときに便利である。
【０００５】
このような機器に実装用のナットを有する電気コネクタの例としては、電気コネクタは、所定本数のコンタクトピンを内蔵したモールド基体（ハウジング）と、このモールド基体の外周面を覆うように被せられたシールドケースと、を備えており、前記モールド基体の両側部に接続相手の電気コネクタの嵌合方向に沿ってボルト螺入穴が形成されると共に、このボルト螺入穴に直交するようにボルトが螺合する四角ナットが嵌挿される矩形収納部が形成されており、この矩形収納部内に前記シールドケースに延設された接続舌片が挿入されて前記四角ナットに接触せしめられるようにされている電気コネクタが発明されている（例えば、特許文献１参照）。
【０００６】
前述の特許文献１による電気コネクタは、モールド基体（ハウジング）に配置されている四角ナットを合理的かつ確実にアースに接続することができ、その結果、ノイズを大幅に低減できるなどの効果が得られるとしている。
【特許文献１】特開平８−２０３６１５号公報
【発明の開示】
【発明が解決しようとする課題】
【０００７】
図２６は、特許文献１による電気コネクタの実施例における要部の斜視分解組立図である。本願の図２６は、特許文献１の図８に相当している。
【０００８】
図２６において、電気コネクタ８０は、所定本数のコンタクトピンを内蔵したモールド基体８１と、モールド基体８１の外周面を覆うように被せられたシールドケース８２と、を備えている。
【０００９】
モールド基体８１の両側部に接続相手の電気コネクタの嵌合方向に沿ってボルト螺入穴８１５が形成されると共に、ボルト螺入穴８１５に直交するようにボルトが螺合する四角ナット８４が嵌挿される矩形収納部８１６が形成されている。矩形収納部８１６内にシールドケース８２に延設された接続舌片８２８が挿入されて、接続舌片８２８が四角ナット８４に接触される。
【００１０】
図２６に示された多極の電気コネクタ８０は、プリント基板用の電気コネクタであって、図示されないプリント基板は、モールド基体８１の下方に配置されている。そして、コンタクトピンとアースされるシールドケース８２の足部８２４がこのプリント基板に、はんだ接合される。
【００１１】
図２６に示された多極の電気コネクタ８０は、アースされるべきシールドケース８２がパネルへの固定用の四角ナット８４に接触するように組み込まれているので、パネルへのアース接続と取り付けを容易としている。
【００１２】
図２６に示された多極の電気コネクタ８０は、モールド基体８１にシールドケース８２と四角ナット８４が組み立てられた後に、プリント基板又はパネルに実装される。
【００１３】
しかしながら、プリント基板又はパネルに実装される前の電気コネクタ８０を移送するに当たり、四角ナット８４は、矩形収納部８１６内で接続舌片８２８が接触しているだけなので、四角ナット８４が振動などで飛び出すおそれがある。電気コネクタの移送に際し、電気コネクタを構成する部品が容易に分解しない構造が求められる。
【００１４】
このような要求に対応する電気コネクタは、コンタクト及び機器に取り付け用のナットをハウジングに組み込むとき、組立作業の容易性が求められる。更に、いったん組み立てられたコンタクト及びナットがその本来の機能を発揮しつつ、機器への取り付けが容易であることが求められる。すなわち、これらが本発明の課題といってよい。
【００１５】
本発明は、上述した課題を解決すべく、圧着部にリード線が接続されるコンタクトを有し、ハウジングに保持されるナットによって機器に固定される電気コネクタであって、前記コンタクト及び前記ナットを容易にハウジングに組立可能であり、電気コネクタの移送に際し、各部品が容易に分解しない構造を有する電気コネクタを提供することを目的とする。
【課題を解決するための手段】
【００１６】
発明者は、前記目的を満たすため、ナットに隣接されるコンタクトに係止手段を設け、この係止手段がハウジングに保持されるナットを係止させる構造とし、以下のような新たな電気コネクタを発明した。
【００１７】
（１）  絶縁性のハウジングと、このハウジングに組み込まれる複数の導電性のコンタクトと、このハウジングに保持される１以上のナットと、を備えており、前記ハウジングは、相手側電気コネクタの挿入方向に向って前記複数のコンタクトが挿入されるコンタクト挿入室及び、当該複数のコンタクトが挿入される方向に向って平行に前記ナットが挿入されると共に当該ナットの回転が抑止される切り欠き溝が設けられ、前記複数のコンタクトは、リード線を圧着により接続する圧着部を有し、このリード線が前記ハウジングから延出されるように前記コンタクト挿入室に挿入され、前記ナットは、当該ナットが挿入される方向と直交する方向から締結可能に前記切り欠き溝の底部に保持され、この切り欠き溝は、隣接する前記コンタクト挿入室に連通しており、前記複数のコンタクトの内、前記切り欠き溝に隣接するコンタクト挿入室に挿入されるコンタクトは前記切り欠き溝の底部に保持されたナットに当接する係止手段を有し、前記係止手段は、前記ナットを前記ハウジングの所定の位置に止めることを特徴とする電気コネクタ。
【００１８】
第１の発明による電気コネクタは、絶縁性のハウジングを備えている。このハウジングは、相手側電気コネクタの挿入方向に向って前記コンタクトが挿入されるコンタクト挿入室が設けられている。又、このハウジングは、当該コンタクトが挿入される方向に向って平行に前記ナットが挿入されると共に、当該ナットの回転が抑止される切り欠き溝が設けられている。
【００１９】
絶縁性のハウジングとは、非導電性の材料からなるハウジングのことであってよく、例えば、ＰＰＳ（ｐｏｌｙｐｈｅｎｙｌｅｎｅ  ｓｕｌｆｉｄｅ）やＰＢＴ（ｐｏｌｙｂｕｔｙｌｅｎｅ  ｔｅｒｅｐｈｔｈａｌａｔｅ）などのエンジニアリングプラスチックを成型して、絶縁性のハウジングを得ることができる。
【００２０】
コンタクト挿入室は、複数のコンタクトが挿入される開口を有しており、この開口から複数のコンタクトが相手側電気コネクタの挿入方向に向って挿入される。ここで、ハウジングは、相手側電気コネクタと対向する面を表面（オモテ面）と呼称し、この表面と対向する面を裏面（ウラ面）と呼称するのであれば、前記開口は裏面に設けられる。
【００２１】
コンタクト挿入室は、複数のコンタクトを保持又は収納する場所を含む空間であって、ハウジング内に形成されるものを含んでよい。複数のコンタクトはその一部が、コンタクト挿入室に挿入、保持、収納等により配置されてよい。
【００２２】
切り欠き溝は、ハウジングの外面に設けられるものであってよく、前記裏面から前記表面に向って設けられる。この切り欠き溝は、例えば、「Ｕ」の字状に形成されてもよい。この切り欠き溝は、ナットの配置数に対応して設けられてよく、１つの切り欠き溝の場合を含み、２つ以上の切り欠き溝の場合を含んでよい。ナットの回転が抑止されるとは、ナットの軸回りの回転が抑止されることであってよい。
【００２３】
第１の発明による電気コネクタは、ハウジングに組み込まれる複数の導電性のコンタクトを備えている。このコンタクトは、リード線を圧着により接続する圧着部を有している。このリード線がハウジングから延出されるようにコンタクト挿入室に挿入される。このコンタクトは、リード線が圧着部に圧着された状態でコンタクト挿入室に挿入されている。そして、このコンタクトは、リード線がハウジングから延出されるように、ハウジングに組み込まれている。
【００２４】
導電性のコンタクトは、導電性の材料からなるコンタクトのことであってよく、導電性の金属からなることが好ましい。例えば、このコンタクトは、銅、鉄、アルミニウムなどの金属板を成型加工して得ることができる。加工容易性や導電性能（低電気抵抗）の上から、このコンタクトは、銅が使用されることが好ましい。
【００２５】
リード線とは、例えば、この電気コネクタが取り付けられる電気機器に内装される回路に接続されるリード線であってよい。リード線は導電性の芯材に絶縁性の被膜材が覆われた電線である。リード線は単線であってよく、２本以上の複線であってもよい。
【００２６】
リード線を圧着により接続するというのは、一般に圧着端子において端子の部材の一部をリード線等の芯材を包み込むようにして折り曲げてその芯材を固定する圧着部を設け、この固定により電気的（時に、及び機械的）に接続することであってよい。圧着部には、いわゆる、コンダクタグリップが設けられてよい。又、リード線をその被覆材の上から包み込むようにして折り曲げてリード線を機械的に固定することを含んでいてよい。圧着部には、いわゆる、インシュレーショングリップが設けられてよい。
【００２７】
そして、コンタクトの圧着部にリード線が圧着された後に、このコンタクトは、コンタクト挿入室に挿入される。コンタクトがコンタクト挿入室に挿入された状態では、リード線がハウジングから延出されている。リード線がハウジングから延出されているとは、例えば、コンタクトの挿入方向と対向する側にリード線が平行に延出される場合を含み、コンタクトの圧着部が折り曲げられて、コンタクトの挿入方向と直交する方向にリード線が延出される場合を含んでもよい。なお、リード線は圧着部から所定長さに予め切断されている。
【００２８】
複数のコンタクトは、用途に応じてそれぞれ形状を変えてもよく、全て同一の形状であってもよく、部分的に形状を同一としてもよい。複数のコンタクトと複数のコンタクト挿入室は一対一に対応してもよく、一対一に対応しなくてもよい。ハウジングに、いわゆる、空き端子を含むものであってもよい。複数のコンタクトは、ハウジングに係止されるために、例えば、槍状の突起（いわゆる、ランス）が設けられてもよい。
【００２９】
第１の発明による電気コネクタは、ハウジングに保持される１以上のナットを備えている。このナットは、当該ナットが挿入される方向と直交する方向から締結可能に切り欠き溝の底部に保持されている。このナットは、機器に固定されるためのナットである。このナットは、ハウジングの他方の面から一方の面に向けて形成される切り欠き溝の底部に挿入されている。そして、このナットは、回転が抑制されるように切り欠き溝の底部に保持される。切り欠き溝の底部とは、このナットが挿入されて突き当たる部位のことであってよい。
【００３０】
このナットは、例えば、六角ナットでよく、四角ナットでもよく、円形の外周の対向する２辺が弦となるよう円弧が切り落とされた特殊ナットでもよい。このナットは、切り欠き溝に挟持されて回転が抑制される対向する２辺を有していればよい。このナットは、切り欠き溝に挿入する自由度を確保するためには、六角ナットが好ましく、締め付け力を確保するために、プリベリングトルク形（高トルク形）六角ナットとしてもよい。
【００３１】
このナットを備える電気コネクタは、例えば、機器に備わるパネルの内側に取り付け具を設け、この取り付け具を介してねじなどの締結具で電気コネクタを固定することができる。締め付け力を確保するためには、このナットは金属ナットが好ましい。
【００３２】
第１の発明による電気コネクタは、切り欠き溝が隣接するコンタクト挿入室に連通している。又、複数のコンタクトの内、切り欠き溝に隣接するコンタクト挿入室に挿入されるコンタクトは、前記切り欠き溝の底部に保持されたナットに当接する係止手段を有している。そして、この係止手段は、ナットをハウジングの所定の位置に止める。
【００３３】
切り欠き溝が隣接するコンタクト挿入室に連通しているとは、切り欠き溝と隣接するコンタクト挿入室との間に通路が設けられて、連続状態になっていることを意味している。そして、この通路は係止手段が通過できるように、コンタクトの挿入方向に向けて開口されていることが好ましい。
【００３４】
切り欠き溝に隣接するコンタクト挿入室に挿入されるコンタクトは、アース用のコンタクトが適用されることが好ましい。アース用のコンタクトが適用されることによって、保安対策やノイズ対策又は、電磁障害（ＥＭＩ）対策としてのグランド強化のために金属のナットを介して機器に接地（アース）することもできる。
【００３５】
切り欠き溝に隣接するコンタクト挿入室に挿入されるコンタクトが有する係止手段は、例えば、コンタクトに設けられる楔状に隆起する舌片・ボス（突起）・Ｌ字型の折り曲げ片などであってよく、切り欠き溝に隣接するコンタクト挿入室に挿入されたコンタクトの係止手段は、切り欠き溝と隣接するコンタクト挿入室との間に設けられたこの通路を介して、ナットに当接する。そして、この係止手段は、ナットをハウジングの所定の位置に止める。
【００３６】
このように、第１の発明は、圧着部にリード線が接続される複数のコンタクトを有し、ハウジングに保持されるナットによって機器に固定される電気コネクタであって、ナットに隣接されるコンタクトは、ナットに当接する係止手段が設けられている。
【００３７】
又、ナットを保持する切り欠き溝は、隣接するコンタクト挿入室に連通しており、当該隣接するコンタクト挿入室にコンタクトを挿入すると、切り欠き溝の底部に保持されたナットに前記係止手段が当接する。そして、この係止手段は、ナットをハウジングの所定の位置に止める。
【００３８】
このように、第１の発明による電気コネクタは、複数のコンタクト及び機器に固定されるためのナットを容易にハウジングに組立可能とし、組み立てられたコンタクト及びナットが容易に分解しない構造を有している。
【００３９】
（２）  （１）記載の電気コネクタにおいて、前記コンタクトは、この電気コネクタに接続される相手側電気コネクタのコンタクトと接触するコンタクト本体を含み、前記ナットに当接する係止手段は、前記切り欠き溝に隣接するコンタクト挿入室に挿入されるコンタクトの前記コンタクト本体に設けられた折り曲げ片であって、当該折り曲げ片が前記ナットの側面に当接することを特徴とする電気コネクタ。
【００４０】
第２の発明による電気コネクタは、コンタクトがこの電気コネクタに接続される相手側電気コネクタのコンタクトと接触するコンタクト本体を含んでいる。そして、ナットに当接する係止手段は、前記切り欠き溝に隣接するコンタクト挿入室に挿入されるコンタクトのコンタクト本体に設けられた折り曲げ片であって、当該折り曲げ片がナットの側面に当接する。
【００４１】
圧着部にリード線が圧着されるコンタクトは、当該圧着部とコンタクト本体に区分できる。このようなコンタクトは、一般に、圧着部とコンタクト本体が一体で成形される。第２の発明によるコンタクトは、圧着部とコンタクト本体が金属板から一体で成形されることが好ましい。コンタクト本体は、ハウジングに係止されるために、例えば、槍状の突起（いわゆる、ランス）が設けられてもよい。
【００４２】
コンタクト本体は、例えば、中空柱状や平形端子状など形状とすることができる。そして、切り欠き溝に隣接するコンタクト挿入室に挿入されるコンタクトのコンタクト本体に、折り曲げ片が例えば、プレス加工により成形されてもよい。
【００４３】
例えば、平形端子状のコンタクト本体に、折り曲げ片がＬ字型に部分的に設けられてもよく、中空であって柱形状をしている中空柱形状のコンタクト本体に、折り曲げ片がＬ字型に部分的に設けられてもよい。
【００４４】
そして、このような折り曲げ片を有するコンタクトが、切り欠き溝に隣接するコンタクト挿入室に挿入されると、折り曲げ片はナットの側面に当接する。このコンタクトが切り欠き溝に隣接するコンタクト挿入室に完全に挿入された状態では、ナットは切り欠き溝の底部と折り曲げ片で挟持されて、当該ナットは、ハウジングの所定の位置に止められている。
【００４５】
このように、第２の発明は、コンタクトがハウジングへ組み込まれると共に、当該コンタクトがナットをハウジングに固定している。このようにコンタクト及びナットが組み込まれた電気コネクタは、例えば、振動などでナットがハウジングの所定の位置から移動することを防止している。
【００４６】
（３）  相手側電気コネクタが挿入されるためのコネクタ挿入口が一方の面に開口し、このコネクタ挿入口を開口とする第１及び第２のコンタクト挿入室が設けられ、前記コネクタ挿入口と対向する他方の面に設けられる第１及び第２のコンタクト挿入開口が前記第１及び第２のコンタクト挿入室に連通している略直方体形状の絶縁性のハウジングと、リード線を圧着により接続する第１及び第２の圧着部を有し、このリード線が前記第１及び第２の圧着部に圧着された状態で前記第１及び第２のコンタクト挿入開口から前記第１及び第２のコンタクト挿入室に挿入され、このリード線が前記他方の面から延出されるように前記ハウジングに組み込まれる導電性の第１及び第２コンタクトと、機器に固定されるためのナットであって、前記他方の面から前記一方の面に向けて形成される切り欠き溝に挿入され、回転が抑制されるようにこの切り欠き溝に挟持されるナットと、を備えており、前記ナットは、当該ナットが挿入される方向と直交する方向から締結可能に前記切り欠き溝の底部に保持され、前記切り欠き溝は、隣接する前記第２のコンタクト挿入室に連通し、前記第１及び第２コンタクトの内、前記切り欠き溝に隣接する第２のコンタクト挿入室に挿入される第２コンタクトは、前記リード線と第２の圧着部において圧着により接続された弾性可動接触子を有する断面形状がＪ字型となるＪ字型コンタクトを含み、前記Ｊ字型コンタクトのコンタクト本体は、Ｊ字型の主縦断面を構成する矩形の背面板及び、この矩形の背面板の両翼からＬ字状に前記弾性可動接触子の形成方向に延びる対向する一対のガイド板を有し、前記Ｊ字型コンタクトにおける一方のガイド板は、前記切り欠き溝の底部に保持されたナットに当接する係止手段を有し、前記第２のコンタクト挿入開口は、前記Ｊ字型コンタクトを当該第２のコンタクト挿入室に挿入するように開口し、当該Ｊ字型コンタクトのコンタクト本体は、前記切り欠き溝に隣接する第２のコンタクト挿入室に挿入され、前記一方のガイド板の係止手段は、前記ナットを前記ハウジングの所定の位置に止めることを特徴とする電気コネクタ。
【００４７】
第３の発明による電気コネクタは、略直方体形状の絶縁性のハウジングを備えている。このハウジングは、相手側電気コネクタが挿入されるためのコネクタ挿入口が一方の面に開口している。又、このハウジングは、このコネクタ挿入口を開口とする第１及び第２のコンタクト挿入室が設けられている。更に、このハウジングは、前記コネクタ挿入口と対向する他方の面に第１及び第２コンタクト挿入開口が設けられている。この第１及び第２コンタクト挿入開口は第１及び第２のコンタクト挿入室に連通している。
【００４８】
コネクタ接続開口は、ハウジング外部より相手側電気コネクタが挿入される開口であってよく、相手側電気コネクタが挿入されるための面積又は外形を有していればよい。又、例えば、コネクタ接続開口は、相手側電気コネクタが挿入されるときにのみ開く開口であってもよく、例えば、ヒンジで結合された扉で開口が密閉され、相手側電気コネクタが挿入されるのと連動して前記扉が開く機構を備えた開口を含んでよい。
【００４９】
コネクタ接続開口は、相手側電気コネクタの挿入端に適合する形状が好ましく、例えば、円形であってもよく、正四角形を含む矩形であってもよい。コネクタ接続開口が円形の場合は、コンタクト挿入室は概円柱形状の空間となってよく、コネクタ接続開口が矩形の場合は、コンタクト挿入室は概直方体状の空間となってもよい。コネクタ接続開口が円形であって、コンタクト挿入室は概直方体状の空間となってもよい。
【００５０】
一方の面とは、相手側電気コネクタが挿入される側の面であって、例えば、この一方の面がパネルから露出してもよく、コネクタ接続開口以外の一方の面がこのパネルで遮蔽されてもよい。一方の面は、平面であってもよく、凹凸が形成される場合も一方の面に含まれる。例えば、円形のコネクタ接続開口を内円とする筒体が一方の面から突出形成される場合も、一方の面に含まれる。一方の面は表面（オモテ面）と呼称される場合もある。又、コネクタ挿入口と対向する他方の面は裏面（ウラ面）と呼称される場合もある。
【００５１】
第１及び第２のコンタクト挿入室は、第１及び第２コンタクトをそれぞれ保持又は収納する場所を含む空間であって、ハウジング内に形成されるものを含んでよい。第１及び第２コンタクトはその一部が、第１及び第２のコンタクト挿入室に挿入、保持、収納等により配置されてよい。
【００５２】
第１及び第２のコンタクト挿入室にそれぞれ連通する第１及び第２のコンタクト挿入開口は、第１及び第２コンタクトが挿入できる断面形状を有していることが好ましい。第１及び第２のコンタクト挿入開口を開口とする第１及び第２のコンタクト挿入室は、第１及び第２コンタクトを部分的に保持する幅（厚さ）を有する空間であって、ハウジング内に形成されるものが含まれる。
【００５３】
第３の発明による電気コネクタは、導電性の第１及び第２コンタクトを備えている。これら第１及び第２コンタクトは、リード線を圧着により接続する第１及び第２の圧着部をそれぞれ有している。
【００５４】
これら第１及び第２コンタクトは、例えば、リード線が第１及び第２の圧着部にそれぞれ圧着された状態で第１及び第２のコンタクト挿入開口から第１及び第２のコンタクト挿入室に挿入されている。そして、これら第１及び第２コンタクトは、リード線が他方の面から延出されるように、ハウジングに組み込まれている。
【００５５】
後述するように、第３の発明による電気コネクタは、第２コンタクトをアース用のコンタクトとしている。又、このアース用の第２コンタクトは、リード線と第２の圧着部において圧着により接続された弾性可動接触子を有する断面形状がＪ字型となるＪ字型コンタクトとしている。このＪ字型コンタクトは、ハウジングに係止されるために、例えば、槍状の突起（いわゆる、ランス）が設けられてもよい。
【００５６】
例えば、第１コンタクトは、リード線と第１の圧着部において圧着により接続された中空であって柱形状をしている中空柱形状コンタクトとしてもよく、中空柱形状コンタクトは、例えば、板材をプレス等により折り曲げて筒状にしたもののように、柱の中が空洞になった形状を含む形態をとることができる。このようなコンタクトが２極の電気コネクタは、例えば、電源ジャックが該当する。
【００５７】
第３の発明による電気コネクタは、ナットを備えている。このナットは、機器に固定されるためのナットである。このナットは、ハウジングの他方の面から一方の面に向けて形成される切り欠き溝に挿入されている。そして、このナットは、回転が抑制されるように切り欠き溝に挟持されている。
【００５８】
このナットは、当該ナットが挿入される方向と直交する方向から締結可能に切り欠き溝の底部に保持されている。このナットを備える電気コネクタは、例えば、機器に備わるパネルの内側に取り付け具を設け、この取り付け具を介してねじなどの締結具で電気コネクタを固定することができる。締め付け力を確保するためには、このナットは金属ナットが好ましい。
【００５９】
第３の発明による電気コネクタは、切り欠き溝が隣接する第２のコンタクト挿入室に連通している。この切り欠き溝が隣接する第２のコンタクト挿入室に連通しているとは、切り欠き溝と隣接する第２のコンタクト挿入室との間に通路が設けられて、連続状態になっていることを意味している。そして、この通路は後述する係止手段が通過できるように、第２コンタクトの挿入方向に向けて開口されていることが好ましい。
【００６０】
第１及び第２コンタクトの内、第２コンタクトは、リード線と第２の圧着部において圧着により接続された弾性可動接触子を有する断面形状がＪ字型となるＪ字型コンタクトを含んでいる。
【００６１】
このＪ字型コンタクトのコンタクト本体は、Ｊ字型の主縦断面を構成する矩形の背面板を有している。又、この矩形の背面板の両翼からＬ字状に弾性可動接触子の形成方向に延びる対向する一対のガイド板を有している。そして、Ｊ字型コンタクトにおける一方のガイド板は、切り欠き溝に保持されたナットに当接する係止手段を有している。
【００６２】
第２のコンタクト挿入開口は、Ｊ字型コンタクトを当該第２のコンタクト挿入室に挿入するように開口し、このＪ字型コンタクトのコンタクト本体は、切り欠き溝に隣接する第２のコンタクト挿入室に挿入されて、一方のガイド板の係止手段がナットに当接する。
【００６３】
切り欠き溝に隣接する第２のコンタクト挿入室に挿入される第２コンタクトが有する係止手段は、例えば、第２コンタクトの一方のガイド板に設けられる楔状に隆起する舌片・ボス（突起）・Ｌ字型の折り曲げ片などであってよく、切り欠き溝に隣接するコンタクト挿入室に挿入されたコンタクトの係止手段は、切り欠き溝と隣接する第２のコンタクト挿入室との間に設けられたこの通路を介して、ナットに当接する。そして、一方のガイド板の係止手段は、ナットをハウジングの所定の位置に止める。
【００６４】
このように、第３の発明は、第１及び第２の圧着部にリード線が接続される第１及び第２コンタクトを有し、ハウジングに保持されるナットによって機器に固定される電気コネクタであって、ナットに隣接される第２コンタクトは、ナットに当接する係止手段が設けられている。
【００６５】
又、ナットを保持する切り欠き溝は、隣接する第２のコンタクト挿入室に連通しており、当該第２のコンタクト挿入室に第２コンタクトを挿入すると、ハウジングに保持されたナットに前記係止手段が当接する。そして、この係止手段は、ナットをハウジングの所定の位置に止める。
【００６６】
このように、第３の発明による電気コネクタは、第２コンタクト及び機器に固定されるためのナットを容易にハウジングに組立可能とし、組み立てられた第２コンタクト及びナットが容易に分解しない構造を有している。
【００６７】
（４）  （３）記載の電気コネクタにおいて、前記第２コンタクトは、この電気コネクタに接続される相手側電気コネクタのコンタクトと接触する第２コンタクト本体を含み、前記ナットに当接する係止手段は、前記切り欠き溝に隣接する第２のコンタクト挿入室に挿入される第２コンタクトの第２コンタクト本体における一方のガイド板に設けられた折り曲げ片であって、当該折り曲げ片が前記ナットの側面に当接することを特徴とする電気コネクタ。
【００６８】
第４の発明による電気コネクタは、第２コンタクトが、この電気コネクタに接続される相手側電気コネクタのコンタクトと接触する第２コンタクト本体を含んでいる。そして、ナットに当接する係止手段は、前記切り欠き溝に隣接する第２のコンタクト挿入室に挿入される第２コンタクトの第２コンタクト本体における一方のガイド板に設けられた折り曲げ片であって、当該折り曲げ片がナットの側面に当接する。
【００６９】
（５）  （３）又は（４）記載の電気コネクタにおいて、一片と他片で略Ｌ字形状に構成され、この一片は前記ナットが保持される切り欠き溝を閉塞し、この他片は前記ハウジングの他方の面を閉塞するカバーを備えることを特徴とする電気コネクタ。
【００７０】
第５の発明による電気コネクタは、カバーを備えている。このカバーは一片と他片で略Ｌ字形状に構成されている。このカバーの一片はナットが保持される切り欠き溝を閉塞する。このカバーの他片はハウジングの他方の面を閉塞する。
【００７１】
このカバーがハウジングの切り欠き溝及び他方の面を閉塞するというのは、少なくともこれら部位がカバーで覆われることにより、外部からこれら部位が見えなくなったり、外部からこれら部位が電気的又は物理的に接触できなくなることを含んでよい。
【００７２】
このカバーは、ハウジングと同じく非導電性の材料からなることが好ましく、非導電性の材料であれば、ハウジングと同材質であることに限定されない。このカバーは、例えば、エンジニアリングプラスチックを成型して、略Ｌ字形状のカバーを得ることができる。
【００７３】
第５の発明による電気コネクタは、例えば、第１及び第２のコンタクト挿入開口が設けられるハウジングの他方の面に、一対のガイド溝が設けられる。この一対のガイド溝は互いに対向しており、更に、この一対のガイド溝は、切り欠き溝が形成される第１側面からこの第１側面に対向する第２側面に至っている。
【００７４】
この一対のガイド溝は、例えば、方形に形成されており、ハウジングの他方の面から一対のＬ字状辺が隆起されて、この一対のガイド溝が形成される。他方の面の一部はこの一対のガイド溝を含んでいる。
【００７５】
第５の発明による電気コネクタは、例えば、カバーの他片の一端部側にリード線が延出可能なリード線挿通溝が設けられる。そして、カバーの他片の両端が一対のガイド溝にスライド可能に嵌合される。
【００７６】
更に、第５の発明による電気コネクタは、このカバーの他片の両端は櫛歯状の凹凸部が形成される一方、この一対のガイド溝を形成する対向する両辺はカバーの凹凸部に対応する櫛歯状の凹凸部が形成される。そして、カバーの他片をハウジングの他方の面に向ってリード線の延出方向と平行に移動するときに、カバーの他片の両端が一対のガイド溝に侵入可能となる。
【００７７】
ここで、このカバーの他片の両端は複数の凹部が形成されると考えられてよく、前記凹部間が凸部を形成すると考えられてよい。そして、この複数の凸部の先端面は揃っており、この先端面がガイド溝のスライド面をなしていると考えられてよい。
【００７８】
一方、この一対のガイド溝を形成する対向する両辺は、カバーの他片の両端に形成された複数の凸部に対応した複数の凹部が形成されると考えられてよく、前記凹部間が凸部を形成すると考えられてよい。そして、当該両辺に形成されて凹部の底面は、当該ガイド溝のスライド面に一致していてもよい。
【００７９】
このように構成された第５の発明による電気コネクタは、以下の手順でハウジングにカバーが装着される。なお、第１及び第２コンタクトとナットは予めハウジングに装着されており、リード線はハウジングの他方の面から延出されている。
【００８０】
最初に、カバーの他片に形成されたリード線挿通溝にリード線が囲まれるように、カバーとハウジングを配置する。このとき、カバーの一片の先端は、一定の間隔を有して、ナットが保持される切り欠き溝に対向している。又、カバーの他片は、一定の間隔を有して、ハウジングの他方の面に対向している。
【００８１】
次に、カバーの他片とハウジングの他方の面を相互に近づけ、カバーの他片の両端を一対のガイド溝に侵入させる。この間、リード線はリード線挿通溝に囲まれている。
【００８２】
次に、カバーを第１側面から第２側面に向って所定距離スライドさせる。そして、ハウジングの一対のガイド溝にカバーの他片の両端がスライドして嵌合した状態では、カバーの一片はナットが保持される切り欠き溝を閉塞し、カバーの他片はハウジングの他方の面を閉塞する。
【００８３】
（６）  絶縁性のハウジングと、このハウジングに組み込まれる複数の導電性の第３コンタクトと、このハウジングに保持される一対のナットと、を備えており、前記ハウジングは、相手側電気コネクタの挿入方向に向って前記第３コンタクトが挿入されると共に並設される複数の第３のコンタクト挿入室及び、当該第３コンタクトが挿入される方向と平行に前記ナットが挿入されると共に当該ナットの回転が抑止される一対の切り欠き溝が両端部に設けられ、前記複数の第３コンタクトは、リード線を圧着により接続する第３の圧着部を有し、このリード線が前記ハウジングから延出されるように前記複数の第３のコンタクト挿入室に挿入され、前記一対のナットは、当該一対のナットが挿入される方向と直交する方向から締結可能に前記一対の切り欠き溝の底部に保持され、この一対の切り欠き溝は、隣接する前記第３のコンタクト挿入室に連通しており、前記複数の第３コンタクトの内、前記切り欠き溝に隣接する第３のコンタクト挿入室に挿入される第３コンタクトは前記切り欠き溝の底部に保持されたナットに当接する係止手段を有し、前記係止手段は、前記ナットを前記ハウジングの所定の位置に止めることを特徴とする電気コネクタ。
【００８４】
第６の発明による電気コネクタは、絶縁性のハウジングを備えている。このハウジングは、相手側電気コネクタの挿入方向に向って第３コンタクトが挿入されると共に並設される複数の第３のコンタクト挿入室が設けられている。又、このハウジングは、第３コンタクトが挿入される方向と平行にナットが挿入されると共にナットの回転が抑止される一対の切り欠き溝が両端部に設けられている。
【００８５】
第３のコンタクト挿入室は、複数の第３コンタクトが挿入される開口を有しており、この開口から複数の第３コンタクトが相手側電気コネクタの挿入方向に向って挿入される。ここで、ハウジングは、相手側電気コネクタと対向する面を表面（オモテ面）と呼称し、この表面と対向する面を裏面（ウラ面）と呼称するのであれば、前記開口は裏面に設けられる。
【００８６】
第３のコンタクト挿入室は、複数の第３コンタクトを保持又は収納する場所を含む空間であって、ハウジング内に形成されるものを含んでよい。複数の第３コンタクトはその一部が、第３のコンタクト挿入室に挿入、保持、収納等により配置されてよい。
【００８７】
ここで、第３コンタクトが複数の第３のコンタクト挿入室に並設されるとは、複数の第３コンタクトを近接させて一列に揃え、並べて設けられる状態を意味している。又、後述するように、一対の切り欠き溝が、隣接する第３のコンタクト挿入室に連通する以外は、複数の第３のコンタクト挿入室は相互に隔絶されている。
【００８８】
一対の切り欠き溝は、ハウジングの外面に設けられるものであってよく、前記裏面から前記表面に向って設けられる。この一対の切り欠き溝は、例えば、「Ｕ」の字状に形成されてもよい。ナットの回転が抑止されるとは、ナットの軸回りの回転が抑止されることであってよい。
【００８９】
一対の切り欠き溝がハウジングの両端部に設けられるとは、例えば、角形コネクタにおいて、ハウジングの裏面を形づくる４辺を、対向する長辺と対向する短辺で形成し、前記短辺を有する一対の側面に一対の切り欠き溝が相反するように設けられる第１の配置が考えられてよい。又、前記長辺を有する一方の側面の両端部に一対の切り欠き溝が設けられる第２の配置が考えられてもよい。
【００９０】
第６の発明による電気コネクタは、このハウジングに組み込まれる複数の導電性の第３コンタクトを備えている。この第３コンタクトは、リード線を圧着により接続する第３の圧着部を有している。このリード線がハウジングから延出されるように第３のコンタクト挿入室に挿入される。この第３コンタクトは、リード線が圧着部に圧着された状態で第３のコンタクト挿入室に挿入されている。そして、この第３コンタクトは、リード線がハウジングから延出されるように、ハウジングに組み込まれている。
【００９１】
リード線とは、例えば、この電気コネクタが取り付けられる電気機器に内装される回路に接続されるリード線であってよい。リード線は導電性の芯材に絶縁性の被膜材が覆われた電線である。リード線は単線であってよく、２本以上の複線であってもよい。
【００９２】
そして、第３コンタクトの第３の圧着部にリード線が圧着された後に、この第３コンタクトは、第３のコンタクト挿入室に挿入される。第３コンタクトが第３のコンタクト挿入室に挿入された状態では、リード線がハウジングから延出されている。
【００９３】
複数の第３コンタクトは、用途に応じてそれぞれ形状を変えてもよく、全て同一の形状であってもよく、部分的に形状を同一としてもよい。複数の第３コンタクトと複数の第３のコンタクト挿入室は一対一に対応してもよく、一対一に対応しなくてもよい。ハウジングに、いわゆる、空き端子を含むものであってもよい。複数の第３コンタクトは、ハウジングに係止されるために、例えば、槍状の突起（いわゆる、ランス）が設けられてもよい。
【００９４】
第６の発明による電気コネクタは、ハウジングに保持される一対のナットを備えている。この一対のナットは、当該一対のナットが挿入される方向と直交する方向から締結可能に一対の切り欠き溝の底部に保持されている。この一対のナットは、機器に固定されるためのナットである。この一対のナットは、ハウジングの裏面から表面に向けて形成される一対の切り欠き溝に挿入されている。そして、この一対のナットは、回転が抑制されるように一対の切り欠き溝の底部に保持されている。
【００９５】
この一対のナットを備える電気コネクタは、例えば、機器に備わるパネルの内側に取り付け具を設け、この取り付け具を介してねじなどの締結具で電気コネクタを固定することができる。締め付け力を確保するためには、この一対のナットは金属ナットが好ましい。
【００９６】
第６の発明による電気コネクタは、一対の切り欠き溝が隣接する第３のコンタクト挿入室に連通している。又、複数の第３コンタクトの内、切り欠き溝に隣接する第３のコンタクト挿入室に挿入される第３コンタクトは、この切り欠き溝の底部に保持されたナットに当接する係止手段を有している。そして、この係止手段は、ナットをハウジングの所定の位置に止める。
【００９７】
一対の切り欠き溝が隣接する第３のコンタクト挿入室に連通しているとは、一対の切り欠き溝と隣接する第３のコンタクト挿入室との間に通路が設けられて、連続状態になっていることを意味している。そして、この通路は係止手段が通過できるように、第３のコンタクトの挿入方向に向けて開口されていることが好ましい。
【００９８】
切り欠き溝に隣接する第３のコンタクト挿入室に挿入される第３コンタクトは、アース用のコンタクトが適用されることが好ましい。アース用のコンタクトが適用されることによって、保安対策やノイズ対策又は、電磁障害（ＥＭＩ）対策としてのグランド強化のために金属のナットを介して機器に接地（アース）することもできる。
【００９９】
切り欠き溝に隣接する第３のコンタクト挿入室に挿入される第３コンタクトが有する係止手段は、例えば、第３コンタクトに設けられる楔状に隆起する舌片・ボス（突起）・Ｌ字型の折り曲げ片などであってよく、切り欠き溝に隣接する第３のコンタクト挿入室に挿入された第３コンタクトの係止手段は、切り欠き溝と隣接する第３のコンタクト挿入室との間に設けられたこの通路を介して、ナットに当接する。そして、この係止手段は、ナットをハウジングの所定の位置に止める。
【０１００】
このように、第６の発明は、第３の圧着部にリード線が接続される複数の第３コンタクトを有し、ハウジングに保持される一対のナットによって機器に固定される電気コネクタであって、一対のナットに隣接される第３コンタクトは、ナットに当接する係止手段が設けられている。
【０１０１】
又、ナットを保持する切り欠き溝は、隣接する第３のコンタクト挿入室に連通しており、当該切り欠き溝に隣接する第３のコンタクト挿入室に第３コンタクトを挿入すると、切り欠き溝の底部に保持されたナットに前記係止手段が当接する。そして、この係止手段は、ナットをハウジングの所定の位置に止める。
【０１０２】
このように、第６の発明による電気コネクタは、第３コンタクト及び機器に固定されるための一対のナットを容易にハウジングに組立可能とし、組み立てられた第３コンタクト及び一対のナットが容易に分解しない構造を有している。
【０１０３】
（７）  （６）記載の電気コネクタにおいて、前記第３コンタクトは、この電気コネクタに接続される相手側電気コネクタのコンタクトと接触するコンタクト本体を含み、前記コンタクト本体は前記リード線と前記第３の圧着部において圧着により接続された中空であって柱形状をしている中空柱形状のコンタクト本体を含み、前記ナットに当接する係止手段は、前記切り欠き溝に隣接する第３のコンタクト挿入室に挿入される第３コンタクトにおける中空柱形状のコンタクト本体に設けられた折り曲げ片であって、当該折り曲げ片が前記ナットの側面に当接することを特徴とする電気コネクタ。
【０１０４】
第７の発明による電気コネクタは、第３コンタクトがこの電気コネクタに接続される相手側電気コネクタのコンタクトと接触するコンタクト本体を含んでいる。このコンタクト本体は、リード線と第３の圧着部において圧着により接続された中空であって柱形状をしている中空柱形状のコンタクト本体を含んでいる。そして、ナットに当接する係止手段は、切り欠き溝に隣接する第３のコンタクト挿入室に挿入される第３コンタクトにおける中空柱形状のコンタクト本体に設けられた折り曲げ片であって、当該折り曲げ片がナットの側面に当接する。
【０１０５】
例えば、第３コンタクトは、リード線と第３の圧着部において圧着により接続された中空であって柱形状をしている中空柱形状コンタクトとしてもよく、中空柱形状コンタクトは、例えば、板材をプレス等により折り曲げて筒状にしたもののように、柱の中が空洞になった形状を含む形態をとることができる。第３コンタクトのコンタクト本体は、ハウジングに係止されるために、例えば、槍状の突起（いわゆる、ランス）が設けられてもよい。
【０１０６】
中空柱形状のコンタクト本体に設けられた折り曲げ片は、プレス加工により成形されてもよい。中空柱形状のコンタクト本体に、折り曲げ片がＬ字型に部分的に設けられてもよい。
【０１０７】
そして、このような折り曲げ片を有する第３コンタクトが、切り欠き溝に隣接する第３のコンタクト挿入室に挿入されると、折り曲げ片はナットの側面に当接する。この第３コンタクトが切り欠き溝に隣接する第３のコンタクト挿入室に完全に挿入された状態では、ナットは切り欠き溝の底部と折り曲げ片で挟持されて、当該ナットは、ハウジングの所定の位置に止められている。
【０１０８】
このように、第７の発明は、第３コンタクトがハウジングへ組み込まれると共に、当該第３コンタクトが一対のナットをハウジングに固定している。このように第３コンタクト及び一対のナットが組み込まれた電気コネクタは、例えば、振動などで一対のナットがハウジングの所定の位置から移動することを防止している。
【発明の効果】
【０１０９】
本発明の電気コネクタは、圧着部にリード線が接続される複数のコンタクトを有し、ハウジングに保持されるナットによって機器に固定される電気コネクタであって、ナットに隣接されるコンタクトは、ナットに当接する係止手段が設けられている。
【０１１０】
又、ナットを保持する切り欠き溝は、隣接するコンタクト挿入室に連通しており、当該隣接するコンタクト挿入室にコンタクトを挿入すると、切り欠き溝の底部に保持されたナットに前記係止手段が当接する。そして、この係止手段は、ナットをハウジングの所定の位置に止める。
【０１１１】
このように、本発明による電気コネクタは、複数のコンタクト及び機器に固定されるためのナットを容易にハウジングに組立可能とし、組み立てられたコンタクト及びナットが容易に分解しない構造を有している。
【発明を実施するための最良の形態】
【０１１２】
以下、図面を参照して本発明を実施するための最良の形態を説明する。
【０１１３】
図１は、本発明の第１の実施形態による電気コネクタの組立手順（コンタクトの挿入）を示す斜視外観図である。図２は、本発明の第１の実施形態による電気コネクタの組立手順（ナットの挿入）を示す斜視外観図である。図３は、本発明の第１の実施形態による電気コネクタの組立手順（第２コンタクトの挿入前）を示す斜視外観図である。図４は、本発明の第１の実施形態による電気コネクタの組立手順（第２コンタクトの挿入過程）を示す斜視外観図である。
【０１１４】
又、図５は、本発明の第１の実施形態による電気コネクタの組立手順（カバーの係合前）を示す斜視外観図である。図６は、本発明の第１の実施形態による電気コネクタの組立手順（カバーの係合後）を示す斜視外観図である。図７は、本発明の第１の実施形態による電気コネクタの組立手順（カバーの侵入）を示す斜視外観図である。図８は、本発明の第１の実施形態による電気コネクタの組立手順（組立完成）を示す斜視外観図である。
【０１１５】
更に、図９は、本発明の第１の実施形態による電気コネクタを表側から見た斜視外観図である。図１０は、本発明の第１の実施形態によるカバーを裏側から見た斜視外観図である。図１１は、本発明の第１の実施形態によるハウジングを裏側から見た斜視外観図である。図１２は、本発明の第１の実施形態による第２コンタクトの斜視外観図である。
【０１１６】
そして、図１３は、本発明の第１の実施形態によるハウジングの平面図である。図１４は、図１３のＡ−Ａ矢視断面図である。図１５は、図１３のＢ−Ｂ矢視断面図である。図１６は、図１３のＣ−Ｃ矢視断面図である。
【０１１７】
一方、図１７は、本発明の第２の実施形態によるハウジングの斜視外観図である。図１８は、本発明の第２の実施形態による第３コンタクトの斜視外観図である。図１８（Ａ）は第３コンタクトを一方の方向から観ており、図１８（Ｂ）は第３コンタクトを他方の方向から観ている。図１９は、第２の実施形態によるナットの斜視外観図である。図２０は、本発明の第２の実施形態による電気コネクタの組立前の斜視分解組立図である。図２１は、第２の実施形態による電気コネクタの組立後の斜視外観図である。
【０１１８】
図２２は、本発明の第３の実施形態によるハウジングの斜視外観図である。図２３は、本発明の第３の実施形態による第３コンタクトの斜視外観図である。図２３（Ａ）は第３コンタクトを一方の方向から観ており、図２３（Ｂ）は第３コンタクトを他方の方向から観ている。図２４は、本発明の第３の実施形態による電気コネクタの組立前の斜視分解組立図である。図２５は、本発明の第３の実施形態による電気コネクタの組立後の斜視外観図である。
【０１１９】
以下の説明において、第１の実施形態における電気コネクタは、実質的にジャック（電源ジャック又はアンテナジャック）であるので、第１の実施形態における説明では、電気コネクタをジャックと呼ぶこととし、相手側電気コネクタを相手側プラグと呼ぶこととする。更に、コネクタ挿入口をプラグ挿入口と呼ぶこととする。
【０１２０】
又、第１の実施形態によるジャックは、第１コンタクトとなる中空柱形状コンタクトと第２コンタクトとなるＪ字型コンタクトとを備えているので、中空柱形状コンタクトが挿入されるコンタクト挿入室を「第１の挿入室」とし、Ｊ字型コンタクトが挿入されるコンタクト挿入室を「第２の挿入室」として区別して説明する。
【０１２１】
「第１の挿入室」の開口となるコンタクト挿入開口を「第１の開口」とし、「第２の挿入室」の開口となるコンタクト挿入開口を「第２の開口」として区別して説明する。
【０１２２】
まず、ハウジングを中心に簡単に第１の実施形態の構造機能を説明し、その後に、各図についてより詳しく第１の実施形態を説明する。
【０１２３】
図１５の断面図に示されるように、ハウジング１は、相手側プラグが挿入されるためのプラグ挿入口１１が一方の面１ａ（以下、表面１ａという）に開口している。プラグ挿入口１１と対向する他方の面１ｂ（以下、裏面１ｂという）にコンタクト挿入開口１３が設けられる。ハウジング１の内部は、隔壁１ｐによって２種類のコンタクト挿入室１２１・１２２に仕切られている。
【０１２４】
図１５に示されるように、隔壁１ｐの両側にはコンタクト挿入用の第１の開口１３１と第２の開口１３２が形成され、それぞれ、第１の挿入室１２１と第２の挿入室１２２に連通されている。
【０１２５】
又、図１５又は図１６に示されるように、第１の挿入室１２１と第２の挿入室１２２は、隔壁１ｐの下方が連通されている。ハウジング１の裏面１ｂには、全体を臨むようにしてコンタクト挿入開口１３が形成されている。
【０１２６】
図１３又は図１４に示すように、第１の開口１３１の周りには、ヤリ状に突出したランス１７が配設されている。ランス１７は、第１の開口１３１を開口とする段差部１８１の底壁から突出している。一方、図１３又は図１６に示すように、隔壁１ｐの両側には、一対のスリット１９１・１９２が配設されている。
【０１２７】
図１に示されるように、第１の開口１３１に挿入される中空柱形状コンタクト２は、板材がプレス加工によって成形されている。中空柱形状コンタクト２は、円筒状のコンタクト本体２ａを備えている。更に、中空柱形状コンタクト２は、コンタクト本体２ａの基端部２ｂの近傍に設けた一対のＬ字型舌片２２１・２２２を備えている。一方のＬ字型舌片２２１は終端を有し、他方のＬ字型舌片２２２は、リード線２０と接続すべくその終端部は第１の圧着部２１を備えている。
【０１２８】
中空柱形状コンタクト２のコンタクト本体２ａを、第１の開口１３１に挿入すると、一対のＬ字型舌片２２１・２２２が段差部１８１の底壁に当接して、コンタクト本体２ａが第１の挿入室１２１へ全て進入されることが阻止されると共に、ランス１７が一方のＬ字型舌片２２１に係合して、コンタクト本体２ａの後退も阻止され、コンタクト本体２ａが所定位置に保持される。一対のＬ字型舌片２２１・２２２がランス１７と段差部１８１に形成される段差壁に挟まれているため、コンタクト本体２ａの回転も阻止される（図５参照）。
【０１２９】
ここで、ランス１７は、中空柱形状コンタクト２の柱軸を中心とする回転を抑制する第１の係止部とすることができる。又、段差部１８１は、中空柱形状コンタクト２を所定の位置に止める第２の係止部とすることができる。
【０１３０】
図１６に示されるように、第２の開口１３２は横断面が矩形に形成されていて、その隔壁１ｐの両隅には一対のスリット１９１・１９２が裏面１ｂから表面１ａに至っている。一対のスリット１９１・１９２は裏面１ｂ側に開口している。第２の挿入室１２２における背面側の開口１１６と対向する箇所には、図１５に示すように、小片（又はランス）１２６が配設されている。この小片１２６は、ハウジング１の窓１２７の周縁から、断面「へ」の字形の薄肉部を延出させて形成されている。
【０１３１】
図１２に示されるＪ字型コンタクト３は、板材がプレス加工によって成形されたもので、コンタクト本体３ａと、コンタクト本体３ａの基端部３ｂから略平行に延出させたリード線３０との接続のための第２の圧着部３１とからなる。
【０１３２】
図１又は図１２に示されるように、コンタクト本体３ａは、矩形の背面板３ｃと、背面板３ｃの両側縁からＬ字状に折り曲げて延出する一対のガイド板３１１・３１２と、背面板３ｃの下側の屈曲部３ｄにおいて折り返す弾性可動接触子３ｅと、背面板３ｃの上側においてＬ字状に折り曲げて延出する当接片３ｆと、背面板３ｃの中央部に設けた楔隆起部（又はランス）３ｇと、を備えている。
【０１３３】
なお、弾性可動接触子３ｅにおける先端の延長部材の両端を、一対のガイド板３１１・３１２に設けられた開口３１３・３１４に係合させることで、プラグの挿抜にともなう弾性可動接触子３ｅの変動ストロークを規制できる。
【０１３４】
更に、図１２に示されるように、コンタクト本体３ａは、一方のガイド板３１２から部分的にＬ字型に折り曲げられた折り曲げ片３ｈが設けられている。この折り曲げ片３ｈは、後述するナット４に当接する係止手段としている。
【０１３５】
Ｊ字型コンタクト３をハウジング１に組み立てる場合には、一対のガイド板３１１・３１２を一対のスリット１９１・１９２に係合させてコンタクト本体３ａを第２の開口１３２に挿入する（図１参照）。
【０１３６】
一対のガイド板３１１・３１２の先端（先端エッジに相当）が第２の挿入室１２２の底部内壁に当接すると、コンタクト本体３ａの更なる進入が阻止されるとともに、ランス１２６がランス３ｇに係合して、コンタクト本体３ａの後退が阻止される（図１参照）。これによって、コンタクト本体３ａが第２の挿入室１２２の所定位置に保持されることになる。このとき、弾性可動接触子３ｅが隔壁１ｐの開口１１６から正極側の第１の挿入室１２１内に突出する。
【０１３７】
図１１又は図１３に示されるように、表面１ａと裏面１ｂと両辺を共有する第１側面１ｃには、図２に示されるナット４が挿入される切り欠き溝１４が形成されている。切り欠き溝１４は、裏面１ｂから表面１ａに向けて切り欠かれている。切り欠き溝１４は、第１側面１ｃから延出される一対の柱形状片１４１・１４２にも延長して設けられている。
【０１３８】
図２に示されるナット４は、円柱形状のナット本体４ａの中間部に側周囲が六角形のフランジ４ｂを有している。円柱形状のナット本体４ａの中心に雌ねじが形成されている。ナット４は、締め付け力を確保するために、いわゆる、プリベリングトルク形（高トルク形）六角ナットとなっている。
【０１３９】
図１３又は図１４に示されるように、切り欠き溝１４は、第１切り欠き溝１４ａと第２切り欠き溝１４ｂと第３切り欠き溝１４ｃの３層の空間を形成している。第１切り欠き溝１４ａの横幅は、円柱形状のナット本体４ａの外径より僅かに大きくなっている。
【０１４０】
第２切り欠き溝１４ｂの横幅は、六角形のフランジ４ｂの対辺距離より僅かに大きく形成され、この第２切り欠き溝１４ｂにナット４が挟持されて回転が抑制される。第３切り欠き溝１４ｃの横幅は、円柱形状のナット本体４ａの外径より僅かに大きくなっている。第３切り欠き溝１４ｃは、Ｊ字型コンタクト３の一方のガイド板３１２が挿入されるスリット１９２に連通している。
【０１４１】
切り欠き溝１４は、隣接する第２の挿入室１２２に連通していると言うこともできる。又、切り欠き溝１４と隣接する第２の挿入室１２２との間に通路が設けられて、連続状態になっていると言うこともできる。そして、この通路は、折り曲げ片３ｈが通過できるように、Ｊ字型コンタクト３の挿入方向に向けて開口されている（図３参照）。又、ナット４が挿入される方向と直交する方向から締結可能に、ナット４は切り欠き溝１４の底部に保持される（図３及び図９参照）。
【０１４２】
図１１に示すように、コンタクト挿入開口１３が設けられるハウジング１の裏面１ｂには、一対のガイド溝１５ａ・１５ｂが設けられている。一対のガイド溝１５ａ・１５ｂは互いに対向しており、更に、一対のガイド溝１５ａ・１５ｂは、切り欠き溝１４が形成される第１側面１ｃからこの第１側面１ｃに対向する第２側面１ｄに至っている。
【０１４３】
一方、図１０に示されたカバー５は一片５１と他片５２で略Ｌ字形状に構成されている。カバー５の一片５１はナット４が保持される切り欠き溝１４を閉塞する（図２参照）。カバー５の他片５２はハウジング１の裏面１ｂを閉塞する（図８及び図９参照）。
【０１４４】
図１０に示されたカバー５の他片５２は、一端部側にリード線２０・３０（図５参照）が延出可能な一対のリード線挿通溝５ａ・５ｂが設けられている。図１０に示されたカバー５の他片５２の両端５ｃ・５ｄが一対のガイド溝１５ａ・１５ｂ（図５参照）にスライド可能に嵌合される。
【０１４５】
図１０に示されたカバー５の他片５２は、他端部側に楔状のロックアーム５４が突出形成されている。又、ハウジング１における裏面１ｂの他端部側にラッチ部１８が設けられている。そして、一対のガイド溝１５ａ・１５ｂに案内されてカバー５の他片５２がスライドすると、楔状のロックアーム５４がラッチ部１８に係止される。
【０１４６】
次に、このジャックの組立方法について説明する。
【０１４７】
予め、２種類のコンタクト２・３の各圧着部２１・３１を圧着して、各リード線２０・３０をコンタクト２・３に接続しておく（図１参照）。又、ナット４もハウジング１の切り欠き溝１４に予め挿入しておく（図２及び図３参照）。
【０１４８】
最初に、図１又は図３に示すようにＪ字型コンタクト３のコンタクト本体３ａを第２の開口１３２を通して第２の挿入室１２２に挿入する。この時、一対のガイド板３１１・３１２が一対のスリット１９１・１９２（図１３参照）に案内されて、Ｊ字型コンタクト３は第２の挿入室１２２（図１５参照）に挿入される。
【０１４９】
次に、図４に示される挿入過程を経て、コンタクト本体３ａを第２の挿入室１２２に完全に挿入すると、折り曲げ片３ｈがナット４の側面に当接してコンタクト本体３ａにナット４を固定できる。更に、Ｊ字型コンタクト３がハウジング１に固定されることで、圧着部３１以降のリード線３０をハウジング１の外に延出させる（図５参照）。
【０１５０】
次に、図１に示すように中空柱形状コンタクト２のコンタクト本体２ａを第１の開口１３１を通して第１の挿入室１２１に挿入・固定することで、圧着部２１以降のリード線２０がハウジング１の外に延出するようにする（図５参照）。
【０１５１】
なお、中空柱形状コンタクト２を先にハウジング１に挿入し、Ｊ字型コンタクト３を後にハウジング１に挿入してもよく、中空柱形状コンタクト２とＪ字型コンタクト３を同時にハウジング１に挿入してもよい。
【０１５２】
次に、図６に示されるように、カバー５の他片５２に形成されたリード線挿通溝５ａ・５ｂに各リード線２０・３０が囲まれるように、カバー５とハウジング１を配置する。このとき、カバー５の一片５１の先端は、一定の間隔を有して、ナット４が保持される切り欠き溝１４に対向している。又、カバー５の他片５２は、一定の間隔を有して、ハウジング１の裏面１ｂに対向している。
【０１５３】
次に、図７に示されるように、カバー５の他片５２とハウジング１の裏面１ｂを相互に近づけ、カバー５の他片５２の両端５ｃ・５ｄを一対のガイド溝１５ａ・１５ｂに侵入させる。この間、各リード線２０・３０は各リード線挿通溝５ａ・５ｂに囲まれている。
【０１５４】
次に、カバー５を第１側面１ｃから第２側面１ｄに向って所定距離スライドさせる。そして、図８に示されるように、ハウジング１の一対のガイド溝１５ａ・１５ｂにカバー５の他片５２の両端５ｃ・５ｄがスライドして嵌合した状態では、カバー５の一片５１はナット４が保持される切り欠き溝１４を閉塞し、カバー５の他片５２はハウジング１の裏面１ｂを閉塞する。
【０１５５】
以下、図面を参照して本発明における第１の実施形態のジャックを詳細に説明する。
【０１５６】
図１は、第１の実施形態におけるジャックのハウジング１に、中空であって柱形状をしているコンタクト（「中空柱形状コンタクト」）２及び、弾性可動接触子を有する断面形状がＪ字型となるコンタクト（「Ｊ字型コンタクト」）３を、ハウジング１の裏面１ｂに配置される内部に挿入するための開口（コンタクト挿入開口）に挿入しようとする様子を示している。
【０１５７】
ハウジング１は、全体として略直方体形状をしており、図中右上に見える裏面１ｂと、この裏面１ｂの４つの辺に接する４つの側面と、図１では左下向きで見えないが、図９において左向きに見えている表面１ａで囲まれている。４つの側面のうち、図１の奥に隠れている第１側面１ｃにはナット４が挿入される切り欠き溝１４が形成されている。手前に見えている第３側面１ｅには、略中央部に窓１２７が設けられ、その中には、肉薄になった小片（又はランス）１２６が配置されている。
【０１５８】
この第１側面１ｃ側にハウジング１の裏面１ｂから延出された一対の柱形状片１４１・１４２が形成される。この一対の柱形状片１４１・１４２間に切り欠き溝１４が設けられている。
【０１５９】
ハウジング１の裏面１ｂには、一対のガイド溝１５ａ・１５ｂが設けられている。この一対のガイド溝１５ａ・１５ｂは互いに対向しており、更に、この一対のガイド溝１５ａ・１５ｂは、切り欠き溝１４が形成される第１側面１ｃからこの第１側面１ｃに対向する第２側面１ｄに至っている。
【０１６０】
一対のガイド溝１５ａ・１５ｂは、ハウジング１の裏面１ｂに略平行に形成されている。一対のガイド溝１５ａ・１５ｂにおける上側の両辺１５１・１５２は、ガイド溝１５ａ・１５ｂを形づくる一方の壁を形成し、後に述べるカバー５の他片５２を一対のガイド溝１５ａ・１５ｂに沿ってスライドさせたときに、カバー５がハウジング１から離れないように保持する機能を有している。
【０１６１】
一対のガイド溝１５ａ・１５ｂは、ハウジング１の裏面１ｂに形成された一対の段差部１８１・１８２によっても側壁が形作られている。これら一対の段差部１８１・１８２を含む一対のガイド溝１５ａ・１５ｂは、ハウジング１の第２側面１ｄ方向に開口しており、前記一対のガイド溝１５ａ・１５ｂを前記第２側面１ｄ側から見た場合、Ｗ字形状若しくは横倒しＥ字形状をしている。
【０１６２】
又、ハウジング１の裏面１ｂの他端部側における真中にはラッチ部１８は、後に述べるロックアーム５４を有するカバー５がスライドして、ハウジング１の裏面１ｂにある開口を閉塞する際に、カバー５をハウジング１にロックする機能を有している。
【０１６３】
図１において、コンタクト挿入開口１３（図１５参照）に含まれる第２の開口１３２は、その断面形状がＪ字状に見えるＪ字型コンタクト３を第２の挿入室１２２（図１５参照）に挿入できるように開口している。Ｊ字型コンタクト３は、コンタクト本体３ａと、リード線３０を保持する第２の圧着部３１と、から構成される。
【０１６４】
コンタクト本体３ａは、後に詳細に説明するが、矩形の背面板３ｃと、背面板３ｃの両側に配置された一対のガイド板３１１・３１２と、を含んでいる。背面板３ｃには、その略中央に、上述の楔隆起部材の一実施例である楔型に隆起した部材（又はランス）３ｇがあり、小片１２６と係合することができる。
【０１６５】
図１において、Ｊ字型コンタクト３をハウジング１の第２の挿入室１２２（図１５参照）に挿入して所定の位置に固定した後、中空柱形状コンタクト２をコンタクト挿入口となる第１の開口１３１からハウジング１内部に挿入する。
【０１６６】
図１に示されるように、中空柱形状コンタクト２は、円筒状のコンタクト本体２ａと、一対のＬ字型舌片２２１・２２２と、リード線２０を圧着する第１の圧着部２１と、から構成される。第１の圧着部２１は、リード線２０を被覆材の上から圧着するインシュレーショングリップ２１ａと、リード線２０の芯材を圧着するコンダクタグリップ２１ｂとを含んでよい。中空柱形状コンタクト２は、上記各部材が柱軸に沿って平行に配列されている。
【０１６７】
図１において、中空柱形状コンタクト２の先端は、図中下を向いているが、中空の円筒状のコンタクト本体３ａを板金から作成したのと同様の方法で閉鎖することができる。先端は、ジャックの規格や見栄えその他の理由で第１の実施形態では球状にされている。
【０１６８】
図１において、中空柱形状コンタクト２は、その一方のＬ字型舌片２２１をランス１７と段差部１８１に形成された段差壁にはめ込まれるように、第１の開口１３１を通して柱挿入開口１３ａに挿入される（図１１参照）。
【０１６９】
図１に示されるように、中空柱形状コンタクト２は、第１の開口１３１を通して柱挿入開口１３ａに挿入され、所定の位置に固定されている。一対のＬ字型舌片２２１・２２２における柱軸側の端面は、柱挿入開口１３ａの周囲に形成される段差部１８１の底壁（図１３及び図１５参照）に当接し、一対のＬ字型舌片２２１・２２２の更なる挿入進行を阻止する。これにより、中空柱形状コンタクト２の挿入進行が止められる。
【０１７０】
図９において、中空柱形状コンタクト２及びＪ字型コンタクト３がハウジング１に挿入され、それぞれの圧着部２１・３１がハウジング１の裏面１ｂ側の段差部１８１・１８２にそれぞれ収納されている。図９に示されるように、中空柱形状コンタクト２及びＪ字型コンタクト３におけるそれぞれのリード線２０・３０がハウジング１の裏面１ｂ側から延出した状態で、カバー５がハウジング１に装着される。
【０１７１】
次に、第１の実施形態におけるジャックの構成を補足しつつ、第１の実施形態におけるジャックの作用を説明する。
【０１７２】
図２に示されるように、ジャックはナット４を備えている。ナット４は、機器に固定されるためのナットである。ナット４は、ハウジング１の裏面１ｂから表面１ａに向けて形成される切り欠き溝１４に挿入される。そして、ナット４は、回転が抑制されるように切り欠き溝１４に挟持されている（図３参照）。
【０１７３】
図３に示されるように、ナット４は、当該ナット４が挿入される方向と直交する方向から締結可能に切り欠き溝１４に保持されている。図９に示されるように、ナット４を備えるジャックは、例えば、機器に備わるパネル（図示せず）の内側に取り付け具を設け、この取り付け具を介してねじなどの締結具でジャックを固定することができる。
【０１７４】
図１において、二つのコンタクトの内、中空柱形状コンタクト２を正極用のコンタクトとし、Ｊ字型コンタクト３をアース用のコンタクトとして、ハウジング１に組み立てられる。
【０１７５】
図１及び図１２に示されるように、Ｊ字型コンタクト３のコンタクト本体３ａは、Ｊ字型の主縦断面を構成する矩形の背面板３ｃを有している。又、この矩形の背面板３ｃの両翼からＬ字状に弾性可動接触子３ｅの形成方向に延びる対向する一対のガイド板３１１・３１２を有している。そして、図３に示されるように、Ｊ字型コンタクト３における一方のガイド板３１２は、切り欠き溝１４に保持されたナット４に当接する係止手段となる折り曲げ片３ｈを有している。
【０１７６】
図３及び図１２に示されるように、第２の開口１３２は、Ｊ字型コンタクト３を第２の挿入室１２２に挿入するように開口し、Ｊ字型コンタクト３のコンタクト本体３ａは、切り欠き溝１４に隣接する第２の挿入室１２２に挿入されて、一方のガイド板３１２の折り曲げ片３ｈがナット４に当接する。
【０１７７】
又、ナット４を保持する切り欠き溝１４は、隣接する第２の挿入室１２２に連通しており、第２の挿入室１２２にＪ字型コンタクト３を挿入すると、ハウジング１に保持されたナット４に折り曲げ片３ｈが当接する。そして、この係止手段となる折り曲げ片３ｈは、ナット４をハウジング１の所定の位置に止める。
【０１７８】
このように、第１の実施形態によるジャックは、Ｊ字型コンタクト３及び図視されない機器（例えば、パネル）に固定されるナット４を容易にハウジング１に組立可能とし、組み立てられたＪ字型コンタクト３及びナット４が容易に分解しない構造を有している。
【０１７９】
そして、図４において、Ｊ字型コンタクト３が第２の挿入室１２２の底部に挿入されると、折り曲げ片３ｈはナット本体４ａ（図２参照）の側面に当接する。Ｊ字型コンタクト３が第２の挿入室１２２に完全に挿入されて、ランス１２６がランス３ｇに係合して（図１参照）、コンタクト本体３ａの後退が阻止される状態では、折り曲げ片３ｈは切り欠き溝１４の底部に保持されたナット４を当接している。
【０１８０】
このように、Ｊ字型コンタクト３は、コンタクト本体３ａにおける一方のガイド板３１２にＬ字型の折り曲げ片３ｈが部分的に設けられている。このような折り曲げ片３ｈを有するＪ字型コンタクト３が、切り欠き溝１４に隣接する第２の挿入室１２２に挿入されると、折り曲げ片３ｈはナット本体４ａの側面に当接する。
【０１８１】
Ｊ字型コンタクト３が切り欠き溝１４に隣接する第２の挿入室１２２に完全に挿入された状態では、ナット４は切り欠き溝１４の底部と折り曲げ片３ｈで挟持されて、当該ナット４は、ハウジング１の所定の位置に止められている。このようにＪ字型コンタクト３及びナット４が組み込まれたジャックは、例えば、振動などでナット４がハウジング１の所定の位置から移動することを防止している。
【０１８２】
一方、第１の実施形態によるジャックは、カバー５を備えている。図１０に示されるように、カバー５の他片５２の一端部側にリード線２０・３０が延出可能なリード線挿通溝５ａ・５ｂが設けられる。そして、カバー５の他片５２の両端５ｃ・５ｄが一対のガイド溝１５ａ・１５ｂ（図１１参照）にスライド可能に嵌合される。
【０１８３】
図１０に示されるように、カバー５の他片５２の両端５ｃ・５ｄは、櫛歯状の凹凸部が形成される。一方、図１１に示されるように、一対のガイド溝１５ａ・１５ｂを形成する対向する両辺１５１・１５２はカバー５の凹凸部に対応する櫛歯状の凹凸部が形成される。
【０１８４】
そして、図７に示されるように、カバー５の他片５２をハウジング１の裏面１ｂに向ってリード線２０・３０の延出方向と平行に移動するときに、カバー５の他片５２の両端５ｃ・５ｄが一対のガイド溝１５ａ・１５ｂに侵入可能となる。
【０１８５】
ここで、図１０に示されたカバー５の他片５２の両端５ｃ・５ｄは複数の一対の凹部５０ｃ・５０ｄが形成されると考えられてよく、それぞれの凹部５０ｃ・５０ｄ間が一対の凸部５１ｃ・５１ｄを形成すると考えられてよい。なお、カバー５の他片５２の他端部側に形成された一対の隆起部５ｅ・５ｆも前記凸部５１ｃ・５１ｄに含まれてよい。そして、この複数の凸部５１ｃ・５１ｄの先端面は揃っており、この先端面がガイド溝１５ａ・１５ｂのスライド面をなしていると考えられてよい。
【０１８６】
一方、図１１に示された一対のガイド溝１５ａ・１５ｂを形成する対向する両辺１５１・１５２は、カバー５の他片５２の両端５ｃ・５ｄに形成された複数の凸部５１ｃ・５１ｄが侵入可能な複数の凹部１５ｃ・１５ｄが形成されると考えられてよく、前記凹部１５ｃ・１５ｄ間が凸部を形成すると考えられてよい。
【０１８７】
図７に示されるように、カバー５の他片５２の両端５ｃ・５ｄが一対のガイド溝１５ａ・１５ｂに侵入される直前の状態から、カバー５をハウジング１に侵入させると、図８に示されるカバー５の他片５２の裏面（ハウジング１の裏面１ｂの対抗面）は、ハウジング１の裏面１ｂに当接する。なお、この時、カバー５の他片５２の他端部に形成された一対の隆起部５ｅ・５ｆの先端面は、図１１に示される一対の段差部１８１・１８２の底面に当接する。
【０１８８】
そして、カバー５の他片５２をハウジング１の第１側面１ｃから第２側面１ｄに向ってスライドすると、図９に示されるように、カバー５の一片５１はナット４が保持される切り欠き溝１４を閉塞する。又、図８に示されるように、カバー５の他片５２はハウジング１の裏面１ｂを閉塞する。
【０１８９】
なお、図１０に示されるように、カバー５の他片５２の裏面には凹部５５が設けられている。カバー５の他片５２がハウジング１の裏面１ｂに向って侵入するときに、この凹部５５は、図１１に示されるランス１７及びランス１７に隣接する立柱１７ａと衝突するのを回避している。又、この凹部５５は、カバー５がスライドするときに、ランス１７及び立柱１７ａによって案内される機能も有している。
【０１９０】
図１０に示されるように、カバー５の一片５１の先端部には、円弧状の溝５１ｓとＶ字状の溝５１ｖが形成されている。円弧状の溝５１ｓの内径は、円柱形状のナット本体４ａ（図２参照）の外径より僅かに大きくなっている。一方、Ｖ字状の溝５１ｖの開き角度は、側周囲が六角形のフランジ４ｂ（図２参照）の角部より僅かに大きくなっている。
【０１９１】
一片５１の先端部に円弧状の溝５１ｓとＶ字状の溝５１ｖが形成されているカバー５が、ナット４が保持される切り欠き溝１４を閉塞することにより、ナット４がハウジング１に対して移動することを防止している。
【０１９２】
一方、カバー５の他片５２は、ハウジング１の裏面１ｂから延出している中空柱形状コンタクト２及びＪ字型コンタクト３を閉塞する。より具体的には、図５に示されるように、カバー５の他片５２は、ハウジング１の裏面１ｂに表出する一対のＬ字型舌片２２１・２２２及び当接片３ｆを閉塞する。
【０１９３】
このように、カバー５の他片５２が中空柱形状コンタクト２及びＪ字型コンタクト３を閉塞することにより、この発明のジャックに相手側プラグが挿入されたときに、中空柱形状コンタクト２及びＪ字型コンタクト３が後退することを防止できる。更に、ジャックは、カバー５をハウジング１に装着するときに、スライド量（ストローク）を少なく容易に装着できる構造となっている。
【０１９４】
更に、第１の実施形態のジャックにおける構造を説明する。図１に示されるように、ハウジング１は、裏面１ｂから延出される一組のリード線２０・３０と平行に第１側面１ｃから延出される一対の柱形状片１４１・１４２が設けられている。一方、図５に示されるように、カバー５の他片５２は、一対のリード線挿通溝５ａ・５ｂが形成される隆起部５３ａ・５３ｂが設けられている。
【０１９５】
図７に示されるように、裏面１ｂから延出される一組のリード線２０・３０をリード線挿通溝５ａ・５ｂが囲った状態で、カバー５の他片５２を一対のガイド溝１５ａ・１５ｂに侵入させる。
【０１９６】
そして、カバー５の他片５２をハウジング１の裏面１ｂと平行にスライドすると、図８に示されるように、一組のリード線２０・３０は一対の柱形状片１４１・１４２と一対の隆起部５３ａ・５３ｂでそれぞれ包囲される。なお、この時、一対のリード線挿通溝５ａ・５ｂはコンタクト挿入開口１３（第１の開口１３１及び第２の開口１３２）とつながっている。
【０１９７】
ここで、一組のリード線２０・３０を一対のリード線挿通溝５ａ・５ｂが囲った状態とは、圧着部２１・３１（図１参照）以降のリード線２０・３０をそれぞれ囲った状態を含んでいる。又、一対の柱形状片１４１・１４２はハウジング１の一部と見なされてよく、リード線挿通溝５ａ・５ｂはコンタクト挿入開口１３とつながり、ハウジング１とカバー５で包囲された圧着部２１・３１以降のリード線２０・３０をジャック外に延出している。
【０１９８】
このように構成されたジャックは、圧着部２１・３１及び圧着部２１・３１近傍のリード線２０・３０を外部から機械的変形を受けにくいものとしている。同時に、外部からの物理的及び電気的な接触を遮蔽できる構造としている。特に、使用時において圧着部２１・３１が視覚的にも遮蔽されるので、使用者に安全感を与えられると考えられる。
【０１９９】
次に、第１の実施形態のジャックにおけるロック機構を説明する。図１０に示されるように、カバー５の他片５２の他端部側に楔状のロックアーム５４が突出形成されている。
【０２００】
一方、図１１に示されるように、ハウジング１の裏面１ｂの他端部側にラッチ部１８が設けられている。図１４の断面図にも示されるように、ラッチ部１８は、第１側面１ｃ寄りに裏面１ｂから陥没するように凹部１８ａが形成され、第２側面１ｄ寄りに裏面１ｂからの段差となる切り欠き溝１８ｃが形成されている。
【０２０１】
このように、ラッチ部１８は凹部１８ａと切り欠き溝１８ｃを両側にもつ凸状に形成され、第１側面１ｃ寄りに斜面１８ｂが設けられ、第２側面１ｄ寄りの角部は略直角に形成されている。ラッチ部１８の上面はハウジング１の裏面１ｂと面一になっている。
【０２０２】
図７に示された状態から、カバー５の他片５２をハウジング１の裏面１ｂに侵入させると、ロックアーム５４は凹部１８ａに侵入される。次に、カバー５の他片５２を第１側面１ｃから第２側面１ｄに向ってスライドすると、ロックアーム５４の形成された斜面にラッチ部１８の斜面１８ｂが接触する。
【０２０３】
更に、カバー５の他片５２をスライドすると、カバー５の他片５２の両端５ｃ・５ｄは一対のガイド溝１５ａ・１５ｂで保持されているので、ロックアーム５４は斜面１８ｂを乗り上げるべく、上側に撓む。更に、カバー５の他片５２をスライドすると、ロックアーム５４は斜面１８ｂを乗り越えて、切り欠き溝１８ｃに陥没し、ロックアーム５４がハウジング１に係止される。
【０２０４】
このように、第１の実施形態のジャックは、スライドするカバー５にロック機構を設けて、一度、カバー５でハウジング１を閉塞したら、容易に開けにくい構造としている。なお、図８に示されるようにロックアーム５４の両翼となるカバー５の他片５２の他端部側から一対のスリットを設け、カバー５の他片５２の他端部側をこじ開けて、強制的にロックを解除することもできる。
【０２０５】
図９は、以上のようにして、コンタクト挿入開口１３及びナット４が保持される切り欠き溝１４がカバー５で閉じられた状態を示している。このようにして完成したジャックは大変コンパクトな形状をしている。ハウジング１の第１側面１ｃ側に位置固定されたナット４は、このジャックが使われる機器のフレームやパネルに固定することができる。
【０２０６】
又、図９において、ハウジング１の表面１ａの略中央に開いた丸い開口は、ジャックに接続される相手側プラグなどの外部端子が挿入されるプラグ挿入口１１である。第１の実施形態において、プラグ挿入口１１は、ハウジング１の表面１ａから突出した円筒に設けられている。プラグ挿入口１１から、中空柱形状コンタクト２の先端部が見えている。又、Ｊ字型コンタクト３の弾性可動接触子が第２の挿入室１２２（図１５参照）の開口部分より見えている。
【０２０７】
これら２つのコンタクトはそれぞれに正負又は正とアースのような関係で用いることができる。第１の実施形態によるジャックは、組立及び分解がいつでも可能となっており、分解する時にはロック機構を解除して上述とは逆の動きを各部品にさせればよいことになる。
【０２０８】
次に、第２の実施形態における電気コネクタの構成を説明する。なお、以下の説明において、第２及び第３の実施形態における電気コネクタは、実質的にドロワーコネクタなどの多極のコネクタであり、第２及び第３の実施形態における説明では、電気コネクタをコネクタと略称し、相手側電気コネクタを相手側コネクタと略称することとする。
【０２０９】
図１７に示されるように、第２の実施形態におけるコネクタは、絶縁性のハウジング２０１を備えている。ハウジング２０１は、相手側コネクタの挿入方向に向って、第３コンタクト２３（図１８参照）が挿入されると共に並設される複数の第３のコンタクト挿入室２２３（以下、第３の挿入室２２３と言う）が設けられている。
【０２１０】
又、ハウジング２０１は、第３コンタクト２３が挿入される方向と平行にナット４０（図１９参照）が挿入されると共に、ナット４０の回転が抑止される一対の切り欠き溝２１４・２１４が両端部に設けられている。
【０２１１】
図１７において、第３の挿入室２２３は、複数の第３コンタクト２３が挿入される開口を有しており、この開口から複数の第３コンタクト２３が相手側コネクタの挿入方向に向って挿入される。
【０２１２】
ここで、ハウジング２０１は、相手側コネクタと対向する面を表面（オモテ面）２０１ａとし、この表面２０１ａと対向する面を裏面（ウラ面）２０１ｂとする。第３の挿入室２２３における前記開口は、ハウジング２０１の裏面２０１ｂに設けられる。
【０２１３】
ここで、第３コンタクト２３が複数の第３の挿入室２２３に並設されるとは、複数の第３コンタクト２３を近接させて一列に揃え、並べて設けられる状態を意味している（図２１参照）。又、後述するように、一対の切り欠き溝２１４・２１４が、隣接する第３の挿入室２２３に連通する以外は、複数の第３の挿入室２２３は相互に隔絶されている（図１７参照）。
【０２１４】
図１７において、ハウジング２０１の裏面２０１ｂを形づくる４辺を、対向する長辺と対向する短辺で構成している。そして、前記短辺を有する一対の側面２０１ｅ・２０１ｆに一対の切り欠き溝２１４・２１４が相反するように設けられる。
【０２１５】
図１７において、ハウジング２０１の表面２０１ａ側には、後述する第３コンタクト２３のランス２３ｇが係止されるための複数の穴２２７が設けられている。複数の穴２２７は、複数の第３の挿入室２２３と一対一に連通されている。
【０２１６】
又、第２の実施形態におけるコネクタは、ハウジング２０１に組み込まれる複数の導電性の第３コンタクト２３を備えている（図１８参照）。第３コンタクト２３は、リード線２３０を圧着により接続する第３の圧着部２３１を有している。
【０２１７】
図１８において、第３コンタクト２３は、例えば、板材をプレス加工によって成形されている。第３コンタクト２３は、リード線２３０と圧着部２３１において圧着により接続された中空であって柱形状をしている四角柱の筒状のコンタクト本体２３ａを備えている。コンタクト本体２３ａは、板材をプレス等により折り曲げて筒状にし、柱の中が空洞になった形状となっている。
【０２１８】
図１８において、第３コンタクト２３は、基端部２３ｂ以降を圧着部２３１としている。圧着部２３１には、リード線２３０をその被覆材の上から包み込むようにして折り曲げてリード線２３０を機械的に固定するインシュレーショングリップ２３１ａが設けられている。又、リード線２３０の芯材を包み込むようにして折り曲げて、その芯材を固定するコンダクタグリップ２３１ｂが設けられている。
【０２１９】
更に、図１８において、コンタクト本体２３ａの一の面には、第３コンタクト２３をハウジング２０１内の所定の位置に係止させるためのランス２３ｇが設けられている。又、コンタクト本体２３ａの一の面と隣接する面には、後述するナット４０に当接するために、Ｌ字型に折り曲げられた折り曲げ片２３ｈが設けられている。折り曲げ片２３ｈは、コンタクト本体２３ａの外側に向けて突出している。
【０２２０】
第２の実施形態におけるコネクタは、ハウジング２０１に保持される一対のナット４０を備えている。図１９に示されるナット４０は、円柱形状のナット本体４０ａの中間部に側周囲が円形のフランジ４０ｂを有している。フランジ４０ｂは円形の外周の対向する２辺が弦となるように円弧が切り落とされている。円柱形状のナット本体４０ａの中心に雌ねじが形成されている。ナット４０は、締め付け力を確保するために、いわゆる、プリベリングトルク形（高トルク形）ナットとなっている。
【０２２１】
次に、第２の実施形態におけるコネクタの組立方法及び作用を説明する。
【０２２２】
予め、第３コンタクト２３の圧着部２３１を圧着して、リード線２３０を第３コンタクト２３に接続しておく（図１８参照）。又、一対のナット４０は、ハウジング２０１の切り欠き溝２１４に予め挿入しておく。
【０２２３】
図１７に示されるように、切り欠き溝２１４は、第１切り欠き溝２１４ａと第２切り欠き溝２１４ｂと第３切り欠き溝２１４ｃの３層の空間を形成している。第１切り欠き溝２１４ａの横幅は、図１９に示される円柱形状のナット本体４０ａの外径より僅かに大きくなっている。
【０２２４】
第２切り欠き溝２１４ｂの横幅は、円形のフランジ４０ｂの弦をなす対辺距離より僅かに大きく形成され、この第２切り欠き溝２１４ｂにフランジ４０ｂが挟持されて回転が抑制される。第３切り欠き溝２１４ｃの横幅は、円柱形状のナット本体４ａの外径より僅かに大きくなっている。第３切り欠き溝２１４ｃは、隣接する第３の挿入室２２３に連通している。
【０２２５】
図１７において、切り欠き溝２１４は、隣接する第３の挿入室２２３に連通していると言うこともできる。又、切り欠き溝２１４と隣接する第３の挿入室２２３の間に通路が設けられて、連続状態になっていると言うこともできる。そして、この通路は、折り曲げ片２３ｈが通過できるように、第３コンタクト２３の挿入方向に向けて開口されている（図２０参照）。又、ナット４０が挿入される方向と直交する方向から締結可能に、ナット４０は切り欠き溝２１４の底部に保持される（図２０及び図２１参照）。
【０２２６】
次に、図２０に示されるように、第３コンタクト２３は、リード線２３０がハウジング２０１から延出されるように第３の挿入室２２３に挿入される。第３コンタクト２３は、リード線２３０が圧着部２３１に圧着された状態で第３の挿入室２２３に挿入されている。そして、図２１に示されるよう、第３コンタクト２３は、リード線２３０がハウジング２０１から延出されるように、ハウジング２０１に組み込まれる。
【０２２７】
図２０において、複数の第３コンタクト２３を第３の挿入室２２３に挿入すると、ランス２３ｇが穴２２７に係止して、複数の第３コンタクト２３のコンタクト本体２３ａをハウジング２０１に固定することができる。
【０２２８】
図２１の組立完了状態において、両端部の第３の挿入室２２３に挿入された一対の第３コンタクト２３は、折り曲げ片２３ｈがナット本体４０ａ（図１９参照）の側面にそれぞれ当接して、第３コンタクト２３がナット４０をハウジング２０１の所定の位置に止める。
【０２２９】
すなわち、ハウジング２０１の両端部に組み立てられる一対の第３コンタクト２３は、切り欠き溝２１４の底部に保持されたナット４０に当接する係止手段となる折り曲げ片２３ｈを有し、この一対の第３コンタクト２３における折り曲げ片２３ｈが、一対のナット４０をハウジング２０１の所定の位置に止めている。
【０２３０】
図２１に示される一対のナット４０を備えるコネクタは、例えば、機器に備わるパネルの内側に取り付け具を設け、この取り付け具を介してねじなどの締結具でこのコネクタを固定することができる。そして、一対のナット４０でパネルに固定することができる。
【０２３１】
このように、第２の実施形態によるコネクタは、圧着部２３１にリード線２３０が接続される複数の第３コンタクト２３を有し、ハウジング２０１に保持される一対のナット４０によって機器に固定されるコネクタであって、ナット４０に隣接される第３コンタクト２３は、ナット４０に当接する係止手段となる折り曲げ片２３ｈが設けられている。
【０２３２】
又、ナット４０を保持する切り欠き溝２１４は、隣接する第３の挿入室２２３に連通しており、当該切り欠き溝２１４に隣接する第３の挿入室２２３にコンタクト２３を挿入すると、切り欠き溝２１４の底部に保持されたナット４０に折り曲げ片２３ｈが当接する。そして、折り曲げ片２３ｈは、ナット４０をハウジング２０１の所定の位置に止める。
【０２３３】
このように、第２の実施形態によるコネクタは、第３コンタクト２３がハウジング２０１へ組み込まれると共に、第３コンタクト２３が一対のナット４０をハウジング２０１に固定している。このように第３コンタクト２３及び一対のナット４０が組み込まれたコネクタは、例えば、振動などで一対のナット４０がハウジング２０１の所定の位置から移動することを防止している。
【０２３４】
なお、切り欠き溝２１４に隣接する第３の挿入室２２３に挿入される第３コンタクト２３は、アース用のコンタクトが適用されることが好ましい。アース用のコンタクトが適用されることによって、保安対策やノイズ対策又は、電磁障害（ＥＭＩ）対策としてのグランド強化のために金属のナット４０を介して機器に接地（アース）することもできる。
【０２３５】
そして、第２の実施形態においては、アース接続とは別の用途（例えば、信号用）をもつコンタクトを、アース用の第３コンタクト２３と形状を同じとして、部品の共通化を図っている。
【０２３６】
そのため、図１７に示されるように、第３コンタクト２３が挿入される第３の挿入室２２３の開口を、上下・左右対称（側面２０１ｃ・２０１ｄを上下、側面２０１ｅ・２０１ｆを左右とした）に配置している。
【０２３７】
又、同じ理由から、ランス２３ｇが係止されるための複数の穴２２７は、図１７において図示されていないが、側面２０１ｆ方向の側面２０１ｄ側に設けられている。図２０において、ハウジング２０１の裏面２０１ｂに設けられる第３の挿入室２２３における開口の向きに合わせて、第３コンタクト２３が挿入される。
【０２３８】
又、アース接続とは別の用途（例えば、信号用）をもつコンタクトを、例えば、図１８に示された折り曲げ片２３ｈを設けないコンタクトとし、折り曲げ片２３ｈを有するアース用の第３コンタクト２３と区別するようにしてもよい。
【０２３９】
次に、第３の実施形態におけるコネクタの構成を説明する。
【０２４０】
図２２に示されるように、第３の実施形態におけるコネクタは、絶縁性のハウジング３０１を備えている。ハウジング３０１は、相手側コネクタの挿入方向に向って、第３コンタクト３３（図２３参照）が挿入されると共に並設される複数の第３のコンタクト挿入室３２３（以下、第３の挿入室３２３と言う）が設けられている。
【０２４１】
又、ハウジング３０１は、第３コンタクト３３が挿入される方向と平行にナット４０（図１９参照）が挿入されると共に、ナット４０の回転が抑止される一対の切り欠き溝３１５・３１５が両端部に設けられている。
【０２４２】
図２２において、第３の挿入室３２３は、複数の第３コンタクト３３が挿入される開口を有しており、この開口から複数の第３コンタクト３３が相手側コネクタの挿入方向に向って挿入される。
【０２４３】
ここで、ハウジング３０１は、相手側コネクタと対向する面を表面（オモテ面）３０１ａとし、この表面３０１ａと対向する面を裏面（ウラ面）３０１ｂとする。第３の挿入室３２３における前記開口は、ハウジング３０１の裏面３０１ｂに設けられる。
【０２４４】
ここで、第３コンタクト３３が複数の第３の挿入室３２３に並設されるとは、複数の第３コンタクト３３を近接させて一列に揃え、並べて設けられる状態を意味している（図２５参照）。又、後述するように、一対の切り欠き溝３１５・３１５が、隣接する第３の挿入室３２３に連通する以外は、複数の第３の挿入室３２３は相互に隔絶されている（図２２参照）。
【０２４５】
図２２において、ハウジング３０１の裏面３０１ｂを形づくる４辺を、対向する長辺と対向する短辺で構成している。そして、前記長辺を有する一対の側面２０１ｃ・２０１ｄの内、一方の側面２０１ｃの両端部に一対の切り欠き溝３１５・３１５が設けられる。
【０２４６】
図２２において、複数の第３の挿入室３２３内部には、後述する第３コンタクト３３のランス３３ｇが係止されるための複数の段差（ハウジングランス又はインデントとしてもよい）が設けられている。前記段差は、複数の第３の挿入室２２３と一対一に連通されている。
【０２４７】
又、第２の実施形態におけるコネクタは、ハウジング３０１に組み込まれる複数の導電性の第３コンタクト３３を備えている（図２３参照）。第３コンタクト３３は、リード線３３０を圧着により接続する第３の圧着部３３１を有している。
【０２４８】
図２３において、第３コンタクト３３は、例えば、板材をプレス加工によって成形されている。第３コンタクト３３は、リード線３３０と圧着部３３１において圧着により接続された中空であって柱形状をしている四角柱の筒状のコンタクト本体３３ａを備えている。コンタクト本体３３ａは、板材をプレス等により折り曲げて筒状にし、柱の中が空洞になった形状となっている。
【０２４９】
図２３において、第３コンタクト３３は、基端部３３ｂ以降を圧着部３３１としている。圧着部３３１には、リード線３３０をその被覆材の上から包み込むようにして折り曲げてリード線３３０を機械的に固定するインシュレーショングリップ３３１ａが設けられている。又、リード線３３０の芯材を包み込むようにして折り曲げて、その芯材を固定するコンダクタグリップ３３１ｂが設けられている。
【０２５０】
更に、図２３において、コンタクト本体３３ａの一の面には、第３コンタクト３３をハウジング３０１内の所定の位置に係止させるためのランス３３ｇが設けられている。又、コンタクト本体３３ａの一の面と対向する面には、後述するナット４０に当接するために、Ｌ字型に折り曲げられた折り曲げ片３３ｈが設けられている。折り曲げ片３３ｈは、コンタクト本体３３ａの外側に向けて突出している。
【０２５１】
第３の実施形態におけるコネクタは、ハウジング３０１に保持される一対のナット４０を備えている。この導電性のナット４０は、第２の実施形態の図１９で説明されたナット４０である。
【０２５２】
次に、第３の実施形態におけるコネクタの組立方法及び作用を説明する。
【０２５３】
予め、第３コンタクト３３の圧着部３３１を圧着して、リード線３３０をコンタクト３３に接続しておく（図２３参照）。又、一対のナット４０は、ハウジング３０１の切り欠き溝３１５に予め挿入しておく。
【０２５４】
図２２に示されるように、切り欠き溝３１５は、第１切り欠き溝３１５ａと第２切り欠き溝３１５ｂと第３切り欠き溝３１５ｃの３層の空間を形成している。第１切り欠き溝３１５ａの横幅は、図１９に示される円柱形状のナット本体４０ａの外径より僅かに大きくなっている。
【０２５５】
第２切り欠き溝３１５ｂの横幅は、円形のフランジ４０ｂの弦をなす対辺距離より僅かに大きく形成され、この第２切り欠き溝３１５ｂにフランジ４０ｂが挟持されて回転が抑制される。第３切り欠き溝３１５ｃの横幅は、円柱形状のナット本体４ａの外径より僅かに大きくなっている。第３切り欠き溝３１５ｃは、隣接する第３の挿入室３２３に連通している。
【０２５６】
図２２において、切り欠き溝３１５は、隣接する第３の挿入室３２３に連通していると言うこともできる。又、切り欠き溝３１５と隣接する第３の挿入室３２３の間に通路が設けられて、連続状態になっていると言うこともできる。そして、この通路は、折り曲げ片３３ｈが通過できるように、第３コンタクト３３の挿入方向に向けて開口されている（図２５参照）。又、ナット４０が挿入される方向と直交する方向から締結可能に、ナット４０は切り欠き溝３１５の底部に保持される（図２４及び図２５参照）。
【０２５７】
次に、図２４に示されるように、第３コンタクト３３は、リード線３３０がハウジング３０１から延出されるように第３の挿入室３２３に挿入される。第３コンタクト３３は、リード線３３０が圧着部３３１に圧着された状態で第３の挿入室３２３に挿入されている。そして、図２５に示されるよう、第３コンタクト３３は、リード線３３０がハウジング３０１から延出されるように、ハウジング３０１に組み込まれる。
【０２５８】
図２４において、複数の第３コンタクト３３を第３の挿入室３２３に挿入すると、ランス３３ｇが図示されない段差に係止して、複数の第３コンタクト３３のコンタクト本体３３ａをハウジング３０１に固定することができる。
【０２５９】
図２５の組立完了状態において、両端部の第３の挿入室３２３に挿入された一対の第３コンタクト３３は、折り曲げ片３３ｈがナット本体４０ａ（図１９参照）の側面にそれぞれ当接して、第３コンタクト３３がナット４０をハウジング３０１の所定の位置に止める。
【０２６０】
すなわち、ハウジング３０１の両端部に組み立てられる一対の第３コンタクト３３は、切り欠き溝３１５の底部に保持されたナット４０に当接する係止手段となる折り曲げ片３３ｈを有し、この一対の第３コンタクト３３における折り曲げ片３３ｈが、一対のナット４０をハウジング３０１の所定の位置に止めている。
【０２６１】
図２５に示される一対のナット４０を備えるコネクタは、例えば、機器に備わるパネルの内側に取り付け具を設け、この取り付け具を介してねじなどの締結具でこのコネクタを固定することができる。そして、一対のナット４０でパネルに固定することができる。
【０２６２】
このように、第３の実施形態によるコネクタは、圧着部３３１にリード線３３０が接続される複数の第３コンタクト３３を有し、ハウジング３０１に保持される一対のナット４０によって機器に固定されるコネクタであって、ナット４０に隣接される第３コンタクト３３は、ナット４０に当接する係止手段となる折り曲げ片３３ｈが設けられている。
【０２６３】
又、ナット４０を保持する切り欠き溝３１５は、隣接する第３の挿入室３２３に連通しており、当該切り欠き溝３１５に隣接する第３の挿入室３２３にコンタクト３３を挿入すると、切り欠き溝３１５の底部に保持されたナット４０に折り曲げ片３３ｈが当接する。そして、折り曲げ片３３ｈは、ナット４０をハウジング３０１の所定の位置に止める。
【０２６４】
このように、第３の実施形態によるコネクタは、第３コンタクト３３がハウジング３０１へ組み込まれると共に、第３コンタクト３３が一対のナット４０をハウジング３０１に固定している。このように第３コンタクト３３及び一対のナット４０が組み込まれたコネクタは、例えば、振動などで一対のナット４０がハウジング３０１の所定の位置から移動することを防止している。
【０２６５】
なお、切り欠き溝３１５に隣接する第３の挿入室３２３に挿入される第３コンタクト３３は、アース用のコンタクトが適用されることが好ましい。アース用のコンタクトが適用されることによって、保安対策やノイズ対策又は、電磁障害（ＥＭＩ）対策としてのグランド強化のために金属のナット４０を介して機器に接地（アース）することもできる。
【０２６６】
そして、第３の実施形態においても、アース接続とは別の用途（例えば、信号用）をもつコンタクトを、アース用の第３コンタクト３３と形状を同じとして、部品の共通化を図っている。
【０２６７】
そのため、図２４に示されるように、アース用の第３コンタクト３３が挿入される第３の挿入室３２３の開口形状と、アース接続とは別の用途（例えば、信号用）をもつコンタクトの開口形状とを全て同じとしている。
【０２６８】
又、アース接続とは別の用途（例えば、信号用）をもつコンタクトを、例えば、図２３に示された折り曲げ片３３ｈを設けないコンタクトとし、折り曲げ片３３ｈを有するアース用の第３コンタクト３３と区別するようにしてもよい。
【図面の簡単な説明】
【０２６９】
【図１】本発明の第１の実施形態による電気コネクタの組立手順（コンタクトの挿入）を示す斜視外観図である。
【図２】本発明の第１の実施形態による電気コネクタの組立手順（ナットの挿入）を示す斜視外観図である。
【図３】本発明の第１の実施形態による電気コネクタの組立手順（第２コンタクトの挿入前）を示す斜視外観図である。
【図４】本発明の第１の実施形態による電気コネクタの組立手順（第２コンタクトの挿入過程）を示す斜視外観図である。
【図５】本発明の第１の実施形態による電気コネクタの組立手順（カバーの係合前）を示す斜視外観図である。
【図６】本発明の第１の実施形態による電気コネクタの組立手順（カバーの係合後）を示す斜視外観図である。
【図７】本発明の第１の実施形態による電気コネクタの組立手順（カバーの侵入）を示す斜視外観図である。
【図８】本発明の第１の実施形態による電気コネクタの組立手順（組立完成）を示す斜視外観図である。
【図９】本発明の第１の実施形態による電気コネクタを表側から見た斜視外観図である。
【図１０】本発明の第１の実施形態によるカバーを裏側から見た斜視外観図である。
【図１１】本発明の第１の実施形態によるハウジングを裏側から見た斜視外観図である。
【図１２】本発明の第１の実施形態による第２コンタクトの斜視外観図である。
【図１３】本発明の第１の実施形態によるハウジングの平面図である。
【図１４】図１３のＡ−Ａ矢視断面図である。
【図１５】図１３のＢ−Ｂ矢視断面図である。
【図１６】図１３のＣ−Ｃ矢視断面図である。
【図１７】本発明の第２の実施形態によるハウジングの斜視外観図である。
【図１８】本発明の第２の実施形態による第３コンタクトの斜視外観図である。
【図１９】第２の実施形態によるナットの斜視外観図である。
【図２０】本発明の第２の実施形態による電気コネクタの組立前の斜視分解組立図である。
【図２１】第２の実施形態による電気コネクタの組立後の斜視外観図である。
【図２２】本発明の第３の実施形態によるハウジングの斜視外観図である。
【図２３】本発明の第３の実施形態による第３コンタクトの斜視外観図である。
【図２４】本発明の第３の実施形態による電気コネクタの組立前の斜視分解組立図である。
【図２５】本発明の第３の実施形態による電気コネクタの組立後の斜視外観図である。
【図２６】特許文献１による従来技術の電気コネクタの実施例における要部の斜視分解組立図である。
【符号の説明】
【０２７０】
１・２０１・３０１    ハウジング
１ａ    一方の面（表面）
１ｂ    他方の面（裏面）
２    第１コンタクト（中空柱形状コンタクト）
２ａ・３ａ・２３ａ・３３ａ    コンタクト本体
３    第２コンタクト（Ｊ字型コンタクト）
３ｃ    背面板
３ｅ    弾性可動接触子
３ｈ・２３ｈ・３３ｈ    折り曲げ片（係止手段）
４・４０    ナット
５    カバー
１１    コネクタ挿入口（プラグ挿入口）
１３    コンタクト挿入開口
１４・２１４・３１５    切り欠き溝
２０・３０・２３０・３３０    リード線
２１・３１・２３１・３３１    圧着部
２３・３３    第３コンタクト
５１    一片
５２    他片
１２１    第１のコンタクト挿入室（第１の挿入室）
１２２    第２のコンタクト挿入室（第２の挿入室）
１３１    第１のコンタクト挿入開口（第１の開口）
１３２    第２のコンタクト挿入開口（第２の開口）
２２３・３２３    第３のコンタクト挿入室（第３の挿入室）
３１１・３１２    ガイド板
【図１】
2006080011.tif 000003
【図２】
2006080011.tif 000004
【図３】
2006080011.tif 000005
【図４】
2006080011.tif 000006
【図５】
2006080011.tif 000007
【図６】
2006080011.tif 000008
【図７】
2006080011.tif 000009
【図８】
2006080011.tif 000010
【図９】
2006080011.tif 000011
【図１０】
2006080011.tif 000012
【図１１】
2006080011.tif 000013
【図１２】
2006080011.tif 000014
【図１３】
2006080011.tif 000015
【図１４】
2006080011.tif 000016
【図１５】
2006080011.tif 000017
【図１６】
2006080011.tif 000018
【図１７】
2006080011.tif 000019
【図１８】
2006080011.tif 000020
【図１９】
2006080011.tif 000021
【図２０】
2006080011.tif 000022
【図２１】
2006080011.tif 000023
【図２２】
2006080011.tif 000024
【図２３】
2006080011.tif 000025
【図２４】
2006080011.tif 000026
【図２５】
2006080011.tif 000027
【図２６】
2006080011.tif 000028